(57)【要約】アプリケーションを提供している提供元にとって効果的な広告の表示を行う。管理装置は、複数のグループのそれぞれに属する一又は複数のアプリケーションのそれぞれに関連付けられたアプリケーション情報を管理する管理部と、端末装置における第１のアプリケーションの利用を少なくとも含む要因に起因して表示されるアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するグループ評価部と、グループ評価部が評価した評価結果に基づいて複数のグループのうちのいずれかのグループを選択し、選択したグループに属するいずれかのアプリケーションに関連付けられたアプリケーション情報を、端末装置に表示されるアプリケーション情報として決定する決定部と、を備える。
2016002342.tif 000002
【特許請求の範囲】
【請求項１】
複数のグループのそれぞれに属する一又は複数のアプリケーションのそれぞれに関連付けられたアプリケーション情報を管理する管理部と、
端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するグループ評価部と、
前記グループ評価部が評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定する決定部と、
を備える管理装置。
【請求項２】
前記決定部は、
前記グループ評価部が評価した評価結果に基づいて前記複数のグループのうちの一部又は全部を順位を付けて選択し、選択したグループのそれぞれに属するアプリケーションに関連付けられたアプリケーション情報を、当該順位に応じて前記端末装置に表示される第２のアプリケーションに関連付けられたアプリケーション情報として決定する、
請求項１に記載の管理装置。
【請求項３】
前記グループ評価部は、
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するとともに、当該所定の成果が達成された第２のアプリケーションが属するグループを評価する、
請求項１または請求項２に記載の管理装置。
【請求項４】
前記グループ評価部は、
第２のアプリケーションにおいて達成済みの成果とは異なる成果が達成されたことに基づいて、当該第２のアプリケーションに関連付けられたアプリケーション情報が表示される起因となった第１のアプリケーションが属するグループを評価する、
請求項１から請求項３のいずれか一項に記載の管理装置。
【請求項５】
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を前記端末装置から取得する取得部、
を更に備え、
前記グループ評価部は、
前記取得部が取得した第２のアプリケーションに関連付けられた成果達成情報に基づいて、当該第２のアプリケーションに関連付けられたアプリケーション情報が表示される起因となった第１のアプリケーションが属するグループを評価する、
請求項１から請求項４のいずれか一項に記載の管理装置。
【請求項６】
前記端末装置における前記第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションを評価する個別評価部、
を更に備え、
前記グループ評価部は、
第１のアプリケーションが属するグループを、前記個別評価部が評価した当該グループに属するアプリケーションの評価結果に基づいて評価する、
請求項１から請求項５のいずれか一項に記載の管理装置。
【請求項７】
前記個別評価部は、
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションを評価するとともに、当該所定の成果が達成された第２のアプリケーションを評価する、
請求項６に記載の管理装置。
【請求項８】
前記個別評価部は、
第２のアプリケーションにおいて達成済みの成果とは異なる成果が達成されたことに基づいて、当該第２のアプリケーションに関連付けられたアプリケーション情報が表示される起因となった第１のアプリケーションを評価する、
請求項６または請求項７に記載の管理装置。
【請求項９】
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を前記端末装置から取得する取得部、
を備え、
前記個別評価部は、
前記取得部が取得した第２のアプリケーションに関連付けられた成果達成情報に基づいて、当該第２のアプリケーションに関連付けられたアプリケーション情報が表示される起因となった第１のアプリケーションを評価する、
請求項６から請求項８のいずれか一項に記載の管理装置。
【請求項１０】
前記決定部は、
選択したグループに属するアプリケーションが複数ある場合、当該複数のアプリケーションのそれぞれに関連付けられたアプリケーション情報のうち、前記端末装置に表示される、第２のアプリケーションに関連付けられたアプリケーション情報を所定の規則に従って決定する、
請求項１から請求項９のいずれか一項に記載の管理装置。
【請求項１１】
前記決定部は、
前記所定の規則として、前記所定の成果を達成済みのアプリケーションに関連付けられたアプリケーション情報を、前記端末装置に表示される、第２のアプリケーションに関連付けられたアプリケーション情報から除外する、
請求項１０に記載の管理装置。
【請求項１２】
前記決定部は、
前記所定の規則として、予め除外対象として設定されたアプリケーションに関連付けられたアプリケーション情報を、前記端末装置に表示される、第２のアプリケーションに関連付けられたアプリケーション情報から除外する、
請求項１０または請求項１１に記載の管理装置。
【請求項１３】
前記グループ評価部は、
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループに対する評価値を更新する、
請求項１から請求項１２のいずれか一項に記載の管理装置。
【請求項１４】
前記個別評価部は、
前記端末装置における前記第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションに対する評価値を更新する、
請求項６から請求項９のいずれか一項に記載の管理装置。
【請求項１５】
前記端末装置における第１のアプリケーションの利用を少なくとも含む要因に起因して表示されるアプリケーション情報に関連付けられた第２のアプリケーションは、当該第１のアプリケーションとは異なるグループに属する、
請求項１から請求項１４のいずれか一項に記載の管理装置。
【請求項１６】
複数のグループのそれぞれに属する一又は複数のアプリケーションのそれぞれに関連付けられたアプリケーション情報を管理する管理装置と通信する端末装置であって、
第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信する送信部と、
前記送信部により送信される成果達成情報に基づいて前記複数のグループのうちから選択されたグループに属するいずれかのアプリケーションに関連付けられたアプリケーション情報を、前記管理装置から取得する取得部と、
前記取得部が取得したアプリケーション情報を表示部に表示させる表示制御部と、
を備える端末装置。
【請求項１７】
複数のグループのそれぞれに属する一又は複数のアプリケーションのそれぞれに関連付けられたアプリケーション情報を管理する管理装置における制御方法であって、
端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、
前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、
を有する制御方法。
【請求項１８】
複数のグループのそれぞれに属する一又は複数のアプリケーションのそれぞれに関連付けられたアプリケーション情報を管理する管理装置と通信する端末装置における制御方法であって、
第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、
前記送信される成果達成情報に基づいて前記複数のグループのうちから選択されたグループに属するいずれかのアプリケーションに関連付けられたアプリケーション情報を、前記管理装置から取得するステップと、
前記取得したアプリケーション情報を表示部に表示させるステップと、
を有する制御方法。
【請求項１９】
複数のグループのそれぞれに属する一又は複数のアプリケーションのそれぞれに関連付けられたアプリケーション情報を管理する管理装置が備えるコンピュータに、
端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、
前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、
を実行させるためのプログラム。
【請求項２０】
複数のグループのそれぞれに属する一又は複数のアプリケーションのそれぞれに関連付けられたアプリケーション情報を管理する管理装置と通信する端末装置が備えるコンピュータに、
第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、
前記送信される成果達成情報に基づいて前記複数のグループのうちから選択されたグループに属するいずれかのアプリケーションに関連付けられたアプリケーション情報を、前記管理装置から取得するステップと、
前記取得したアプリケーション情報を表示部に表示させるステップと、
を実行させるためのプログラム。
【発明の詳細な説明】
【技術分野】
【０００１】
本発明は、管理装置、端末装置、制御方法、およびプログラムに関する。
【背景技術】
【０００２】
ユーザ端末において利用中のアプリケーションの画面に他のアプリケーションの広告（バナー型広告等）を表示させ、ユーザによってその広告（バナー）が選択されると、そのアプリケーションをダウンロード可能なオンラインストア（オンラインショップ）にユーザを誘導する広告システムがある。この広告システムによれば、利用中のアプリケーション（送客元）に広告を表示させることにより、ユーザ端末へ他のアプリケーションを導入させるきっかけを与えることができ、他のアプリケーション（送客先）への送客に繋げることができる。【０００３】
例えば、特許文献１には、アプリケーション間の送客において、送客元となって他のアプリケーションに送客する場合と、送客先となって他のアプリケーションから送客される場合とが同等になるように送客バランスを調整するシステムが開示されている。
【先行技術文献】
【特許文献】
【０００４】
【特許文献１】特許第５４４５６０６号公報
【発明の概要】
【発明が解決しようとする課題】
【０００５】
例えば、特許文献１に示すシステムでは、広告対象となる複数のアプリケーションのそれぞれに対応した広告の利用回数に応じたポイントを算出し、算出したポイントに応じた広告の表示が制御される。ところで、人気のあるアプリケーションは、既に多くのユーザ端末に導入済みであるため、他のアプリケーションにおいて人気のあるアプリケーションの広告が表示される頻度が少ない。したがって、人気のあるアプリケーションは、送客元となることが多くなり、人気のあるアプリケーションにとって、自アプリケーションへの客の流入よりも、他のアプリケーションへの客の流出が多くなってしまうことがある。このような状況において、上記のようなアプリケーション毎のポイントに応じた広告の表示の制御では、必ずしもポイントが高いアプリケーションの広告が表示されやすいことにはならない。したがって、人気のあるアプリケーションを提供している提供元（提供者）にとって、送客に結びつく効果的な広告の表示を行うことができない場合があった。【０００６】
本発明のいくつかの態様は、アプリケーションを提供している提供元にとって効果的な広告の表示を行うことを可能とする管理装置、端末装置、制御方法、およびプログラムを提供することを目的の一つとする。【０００７】
また、本発明の他の態様は、後述する実施形態に記載した作用効果を奏することを可能にする管理装置、端末装置、制御方法、およびプログラムを提供することを目的の一つとする。
【課題を解決するための手段】
【０００８】
上述した課題を解決するために、本発明の一態様は、複数のグループのそれぞれに属する一又は複数のアプリケーションのそれぞれに関連付けられたアプリケーション情報を管理する管理部と、端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するグループ評価部と、前記グループ評価部が評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定する決定部と、を備える管理装置である。【０００９】
また、本発明の一態様は、複数のグループのそれぞれに属する一又は複数のアプリケーションのそれぞれに関連付けられたアプリケーション情報を管理する管理装置と通信する端末装置であって、第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信する送信部と、前記送信部により送信される成果達成情報に基づいて前記複数のグループのうちから選択されたグループに属するいずれかのアプリケーションに関連付けられたアプリケーション情報を、前記管理装置から取得する取得部と、前記取得部が取得したアプリケーション情報を表示部に表示させる表示制御部と、を備える端末装置である。【００１０】
また、本発明の一態様は、複数のグループのそれぞれに属する一又は複数のアプリケーションのそれぞれに関連付けられたアプリケーション情報を管理する管理装置における制御方法であって、端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、を有する制御方法である。【００１１】
また、本発明の一態様は、複数のグループのそれぞれに属する一又は複数のアプリケーションのそれぞれに関連付けられたアプリケーション情報を管理する管理装置と通信する端末装置における制御方法であって、第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、前記送信される成果達成情報に基づいて前記複数のグループのうちから選択されたグループに属するいずれかのアプリケーションに関連付けられたアプリケーション情報を、前記管理装置から取得するステップと、前記取得したアプリケーション情報を表示部に表示させるステップと、を有する制御方法である。【００１２】
また、本発明の一態様は、複数のグループのそれぞれに属する一又は複数のアプリケーションのそれぞれに関連付けられたアプリケーション情報を管理する管理装置が備えるコンピュータに、端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、を実行させるためのプログラムである。【００１３】
また、本発明の一態様は、複数のグループのそれぞれに属する一又は複数のアプリケーションのそれぞれに関連付けられたアプリケーション情報を管理する管理装置と通信する端末装置が備えるコンピュータに、第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、前記送信される成果達成情報に基づいて前記複数のグループのうちから選択されたグループに属するいずれかのアプリケーションに関連付けられたアプリケーション情報を、前記管理装置から取得するステップと、前記取得したアプリケーション情報を表示部に表示させるステップと、を実行させるためのプログラムである。
【発明の効果】
【００１４】
以上説明したように、本発明のいくつかの態様によれば、アプリケーションを提供している提供元にとって効果的な広告の表示を行うことが可能となる。
【図面の簡単な説明】
【００１５】
【図１】第１の実施形態による広告システムの概要を説明する説明図である。
【図２】送客評価値の一例を示す図である。
【図３】ユーザ端末において表示されるアプリ一覧の表示例を示す図である。
【図４】第１の実施形態による広告システムの構成の一例を示す概略構成図である。
【図５】第１の実施形態によるユーザ端末のハードウェア構成の一例を示す概略構成図である。
【図６】第１の実施形態によるユーザ端末の機能構成の一例を示す概略構成図である。
【図７】第１の実施形態による管理サーバのハードウェア構成の一例を示す概略構成図である。
【図８】第１の実施形態による管理サーバの機能構成の一例を示す概略構成図である。
【図９】第１の実施形態によるアプリケーション情報テーブルの一例を示す図である。
【図１０】第１の実施形態による送客評価値テーブルの一例を示す図である。
【図１１】第１の実施形態による送客元側に関連する広告制御処理の一例を示すフローチャートである。
【図１２】第１の実施形態による送客先側に関連する広告制御処理の一例を示すフローチャートである。
【図１３】第２の実施形態による管理サーバの機能構成の一例を示す概略構成図である。
【図１４】第２の実施形態による送客評価値テーブルの一例を示す図である。
【図１５】第３の実施形態による管理サーバの機能構成の一例を示す概略構成図である。
【図１６】第３の実施形態による送客評価値テーブルの一例を示す図である。
【発明を実施するための形態】
【００１６】
以下、本発明の一実施形態について、図面を参照して説明する。
[第１の実施形態]
本発明の第１の実施形態について説明する。
【００１７】
〔１．広告システムの概要〕
まず、本実施形態による広告システムの概要を説明する。
ユーザが利用しているアプリケーション（以下、単に「アプリ」と略称することがある）の利用画面（例えば、ゲーム画面やチャット画面）に表示された他のアプリケーションの広告をクリック（選択）して、当該他のアプリケーションを導入した場合に、そのユーザに対して報酬が付与される仕組みがある。ここで、広告が表示されるアプリケーションのことを「広告掲載アプリ」と呼び、広告に掲載されるアプリケーションのことを「広告主アプリ」とも呼ぶ。
【００１８】
例えば、上記の報酬は、広告掲載アプリで利用できる報酬であり、広告掲載アプリがゲームであればそのゲームで使用できるポイントやアイテムである。つまり、ユーザに対して、広告掲載アプリに対する報酬というインセンティブを付与することで、広告主アプリに対する導入意欲を高めることができる。このように、広告掲載アプリの利用画面に表示された広告に基づいて広告主アプリを導入した場合に報酬が付与されるインセンティブ型の広告のことを、「リワード広告」と呼ぶこととする。
【００１９】
これに対して、広告掲載アプリの利用画面に表示された広告に基づいて広告主アプリを導入してもユーザに報酬が付与されない非インセンティブ型の広告のことを、「リンク広告」と呼ぶこととする。なお、リワード広告とリンク広告とは、インセンティブの有無によって広告主アプリに対する導入意欲に違いが生じることが考えられるが、広告主アプリを導入するきっかけとなるという点では同様である。
【００２０】
ここで、広告掲載アプリを利用しているユーザが広告主アプリを導入したことを、広告掲載アプリのユーザを広告主アプリへ送客したということができるため、広告掲載アプリを「送客元アプリ」と呼び、広告主アプリを「送客先アプリ」と呼ぶこととする。また、各アプリケーションは、それぞれ送客元と送客先とのいずれにもなりうるため、アプリケーション間で相互に送客を行うことができる。例えば、送客元アプリから送客先アプリへの送客が行われた場合、この送客先アプリは、ユーザ端末にまだ導入されていない他の送客先アプリの広告を表示する送客元アプリになることができる。
【００２１】
広告の表示形態には、一般的にバナー型、アイコン型、ポップアップ型、及びリスト型がある。例えば、送客元アプリで表示する広告の対象となる送客先アプリが複数ある場合は、そのうちの一つがバナー型で表示されたり、複数がリスト型で表示されたりする。
【００２２】
ここで、仮に、５つのアプリケーション（アプリＡ〜Ｅ）を対象として、リスト型のリワード広告によるシステムを構築したとする。なお、このリスト型のリワード広告のことを「アプリ一覧」と呼ぶこととする。例えば、ユーザ端末において、送客元アプリとしてのアプリＡの利用画面で表示されるアプリ一覧には、アプリＡ自身を除いたアプリＢ〜Ｅの４つのアプリケーションの広告が送客先アプリとして選択される対象（候補）として表示される。
【００２３】
また、ユーザ端末においてアプリＣが既に導入されて利用されていることを前提とした場合には、新たにアプリＣを導入することは発生し得ないため、アプリＣは送客先アプリとして選択される対象（候補）とはならない。さらに、ユーザ端末にインストール（導入）されていたアプリＣをアンインストールした後に再インストール（再導入）したとしても、アプリＣを導入した履歴を本システムで管理することで、アプリＣは送客先アプリのとして選択される対象（候補）とはならない。したがって、アプリＡの利用画面で表示されるアプリ一覧には、導入済みのアプリＣが除外され、アプリＢ、Ｄ，Ｅの３つのアプリケーションの広告が送客先アプリとして選択される対象（候補）として表示される。
【００２４】
ところで、アプリＡ〜Ｅのそれぞれは、相互に送客が可能であっても、一般的には、利用者数に差が生じ、例えば、ユーザ数の多い人気があるアプリケーション（例えば、アプリＡとする）と、ユーザ数の少ないアプリケーション（例えば、アプリＥとする）が存在する。また、リリースして間もないアプリでは、まだユーザ数が少ない場合もある。ユーザ数の多いアプリＡを利用するユーザは、そのアプリＡで利用できる報酬欲しさに、他のアプリケーションを導入しようとするため、アプリＡが他のアプリへ送客した数（アプリＡの送客数）は、ユーザ数が少ないアプリＥの送客数よりも多くなる傾向がある。ここで、アプリケーション間で送客数を均一化しようとした場合、送客数に応じでリワード広告の表示を制御することが考えられる。例えば、アプリ一覧において、送客数の多いアプリＡの広告を目立つように先頭にして、送客数の順に広告を並べる方法が考えられる。この方法では、送客数の多いアプリＡがアプリ一覧の先頭に表示されるようになる。しかしながら、既にアプリＡを導入しているユーザに対しては、アプリ一覧からアプリＡが除外される（アプリＡのリワード広告が表示されない）ことになる。しかも、人気があるアプリケーションは知名度が高いため、このリワード広告をきっかけにしなくとも、ユーザがオンラインストアから直接当該アプリケーションを導入することも多いため、アプリＡはもっぱら送客元になることが多くなる。したがって、アプリＡは、送客に貢献しているにもかかわらず、アプリＡのリワード広告が表示されないことが多く発生し、アプリＡを提供している提供元にとって送客に結びつく効果的な広告の表示ができないことがある。
【００２５】
そこで、本実施形態の広告システムでは、アプリケーションの提供元の間での送客の貢献度合いに応じてリワード広告の表示を制御する構成とした。
以下、図１〜３を参照して、本実施形態による広告システムの概要を説明する。ここで、本実施形態では、アプリの提供元がＡ社、Ｂ社、Ｃ社、Ｄ社、及びＥ社の５つであるものとする。Ａ社が提供するアプリケーションは、アプリＡ１、アプリＡ２、及びアプリＡ３の３つであるとする。Ｂ社が提供するアプリケーションは、アプリＢ１、アプリＢ２、及びアプリＢ３の３つであるとする。Ｃ社が提供するアプリケーションは、アプリＣ１、アプリＣ２、及びアプリＣ３の３つであるとする。Ｄ社が提供するアプリケーションは、アプリＤ１の１つであるとする。Ｅ社が提供するアプリケーションは、アプリＥ１、及びアプリＥ２の２つであるとする。
【００２６】
図１は、本実施形態による広告システムの概要を説明する説明図である。本実施形態による広告システムは、送客元アプリの利用に起因してリワード広告（アプリ一覧）が表示されるシステムを例としている。
【００２７】
ここで、送客元アプリの利用に起因してリワード広告（アプリ一覧）が表示される一例として、利用中（実行中）の送客元アプリにおいてユーザがリワード広告を表示させるための所定の操作をしたことに応じてリワード広告（アプリ一覧）が表示されることがあげられる。所定の操作とは、例えば、広告を表示させるための操作子としてのアイコンに対するユーザのクリック操作又はタップ操作等である。このアイコンは、例えば、送客元アプリの利用画面（例えば、ゲーム画面）に表示される。また、送客元アプリの利用に起因してリワード広告（アプリ一覧）が表示される他の例としては、送客元アプリが起動したことに応じて、無条件でリワード広告（アプリ一覧）が表示されることがあげられる。なお、本実施形態による広告システムにおいて、リワード広告（アプリ一覧）は、送客元アプリの利用を少なくとも含む要因に起因して表示されるものであってもよい。つまり、リワード広告（アプリ一覧）は、送客元アプリの利用に加えて、さらに所定の条件が充足したことに起因して表示される場合も含む。例えば、送客元アプリが起動した場合（送客元アプリの利用の一例）に、ユーザ端末で表示される広告を制御する管理サーバの判断（所定の条件の充足の一例）により、特定の期間にリワード広告（アプリ一覧）が表示されてもよいし、所定の期間（例えば、1日）内にリワード広告（アプリ一覧）が表示される回数が制限されてもよい。
【００２８】
図１に示すように、ユーザ端末で利用されているアプリＡ１（送客元アプリ）の利用を少なくとも含む要因に起因して表示されたリワード広告（アプリ一覧）に対して、アプリＢ１（送客先アプリ）の広告をクリック（選択）したことに基づいて、当該ユーザ端末にアプリＢ１（送客先アプリ）が導入され、アプリＡ１からアプリＢ１への送客が行われた場合、アプリＡ１においてユーザが利用できる報酬（例えば、アプリＡ１がゲームの場合にはゲームで利用できるアイテム等）が付与される。また、この送客が行われたことにより、アプリＡ１において表示されたアプリＢ１のリワード広告に基づく成果が達成されたものとして、アプリＡ１及びアプリＢ１のそれぞれに対して、送客への貢献度合いを示す評価値（以下「送客評価値」という）が加点又は減点される。例えば、送客に貢献したアプリＡ１に対する送客評価値が加点（＋１）され、送客された側のアプリＢ１に対する送客評価値が減点（−１）される。例えば、送客評価値は、送客元となる回数が多いほど高くなり、送客先となる回数が多いほど低くなり、送客元となる回数と送客先となる回数が同等であるほど「０」に近づく。なお、以下の説明において、リワード広告のことを単に「広告」とも呼ぶ。
【００２９】
本実施形態による広告システムでは、アプリケーションの提供元ごとの送客評価値に基づいて、広告の表示を制御する。具体的には、アプリ一覧において、送客評価値の最も大きい提供元のアプリケーションの広告を先頭にして、送客評価値の大きい提供元の順に広告が並べて表示される。
【００３０】
図２は、送客評価値の一例を示す図である。この図では、アプリケーションの提供元単位でグループを構成し、グループごとに、同一の提供元が提供している一または複数のアプリケーションのそれぞれの送客評価値と、それぞれの送客評価値の合計とを示している。ここで、アプリケーションごとの送客評価値を「個別送客評価値」と呼び、同一のグループに属する個別送客評価値に基づいたグループの評価値を「グループ送客評価値」と呼ぶ。この例では、グループ送客評価値として、同一のグループに属する個別送客評価値の合計値としている。図２の例では、グループ送客評価値の合計が最も大きい提供元はＡ社であり、以下大きい順にＢ社、Ｃ社、Ｄ社、Ｅ社となっている。この場合、アプリ一覧には、Ａ社のアプリケーションの広告が先頭に表示され、以下、Ｂ社、Ｃ社、Ｄ社、Ｅ社の順にそれぞれのアプリケーションの広告が表示される。
【００３１】
ここで、図２の例では、アプリ一覧において先頭に広告が表示されるＡ社の中で個別送客評価値が最も大きいのは、アプリＡ１である。アプリＡ１の送客への貢献度が最も高いため、アプリＡ１の広告がアプリ一覧の先頭に表示されるのが望ましい。しかしながら、送客への貢献度が高いアプリＡ１は、既に導入済みであることが多く、アプリＡ１を導入済みのユーザ端末では、アプリＡ１は送客先アプリとなる対象（候補）とはならない。この場合、例えば、アプリＡ１を提供するＡ社のアプリＡ２がユーザ端末に導入されたことがなければ先頭に表示される。
【００３２】
図３は、ユーザ端末において表示されるアプリ一覧の表示例を示す図である。画面Ｇ１０には、図２に示す送客評価値に基づいて、画面Ｇ１０の上側（先頭）から下側に向かって広告Ｐ１１、広告Ｐ１２、広告Ｐ１３、広告Ｐ１４、広告Ｐ１５の順に並んだアプリ一覧が表示されている。また、広告Ｐ１１、広告Ｐ１２、広告Ｐ１３、広告Ｐ１４、広告Ｐ１５のそれぞれには、各広告のアプリケーションの名称とアイコン画像（アイコンＰ２１、アイコンＰ２２、アイコンＰ２３、アイコンＰ２４、アイコンＰ２５）とが表示されている。これら広告Ｐ１１〜Ｐ１５は、ユーザによるクリック操作又はタップ操作等を受け付ける操作子として表示される。
【００３３】
広告Ｐ１１は、Ａ社のアプリケーションのうち未導入（ユーザ端末にインストールされたことがない）且つアプリＡ１の次に送客評価値の大きいアプリケーション（ここでは、アプリＡ２）の広告である。広告Ｐ１２は、Ｂ社のアプリケーションのうち未導入且つ最も送客評価値の大きい（ここでは、アプリＢ１）の広告である。広告Ｐ１３は、Ｃ社のアプリケーションのうち未導入且つ最も送客評価値の大きいアプリケーション（ここでは、アプリＣ３）の広告である。広告Ｐ１４は、Ｄ社の未導入のアプリケーション（ここでは、アプリＤ１）の広告である。広告Ｐ１５は、Ｅ社のアプリケーションのうち未導入且つ最も送客評価値の大きいアプリケーション（ここでは、アプリＥ１）の広告である。
【００３４】
なお、アプリ一覧には、図３に示すようにＡ社、Ｂ社、Ｃ社、Ｄ社、及びＥ社のそれぞれのアプリケーションの広告Ｐ１１〜Ｐ１５が表示されてもよいし、送客評価値の大きい方の一部の提供元の広告に限定して（例えば、上位３社の広告Ｐ１１〜Ｐ１３）表示されてもよい。また、それぞれのアプリケーションの広告Ｐ１１〜Ｐ１５が一つの画面に同時に表示されずに、一部のアプリケーションの広告が一つの画面に同時に表示されてもよい。この場合、画面のスクロールによって表示されるアプリケーションの広告が変更されてもよい。画面をスクロールさせてそれぞれのアプリケーションの広告Ｐ１１〜Ｐ１５が表示される場合であっても、例えば、先頭のアプリケーションの広告だけは、スクロールされずに固定表示されるようにしてもよい。なお、固定表示される対象の広告は先頭だけに限定されない。さらに、アプリ一覧には、導入済みのアプリケーションの広告が、未導入のアプリケーションの広告と区別されて表示されてもよい。例えば、導入済みのアプリケーションの広告には、導入済みであることを示す情報、又は送客先アプリとして選択できないことを示す情報が対応付けられて表示されてもよい。また、導入済みのアプリケーションの広告は、送客先アプリとなる対象（候補）のアプリケーションの広告と区別可能なように、別の欄に表示されてもよい。
【００３５】
なお、図３に示す画面Ｇ１０に表示されるアプリ一覧は、例えば、ユーザ端末においてブラウザ機能によって表示されるＷｅｂページとして提供される。以下の説明において、アプリ一覧が掲載されたＷｅｂページを、「アプリ一覧ページ」とも呼ぶ。
【００３６】
このようにすることで、例えば、Ａ社の送客評価値が高く、且つアプリＡ１を導入済みのユーザが多い場合であっても、アプリＡ１を導入済みのユーザ端末において、例えば、アプリＡ２のように、Ａ社の他のアプリケーションをアプリ一覧に表示させることができる。よって、本実施形態による広告システムでは、アプリケーション間で送客を行う場合に、グループ送客評価値に基づいて、同一のグループに属するアプリケーションの中からアプリ一覧に表示させるアプリケーションを選択可能になる。例えば、同一のグループに属するアプリケーションの中からユーザ端末に既に導入済みであるアプリケーションを除外した残りのアプリケーションのうちからアプリケーションを選択可能になる。したがって、本実施形態によれば、アプリケーションを提供している提供元にとって送客に結びつく効果的な広告の表示を行うことが可能となる。
【００３７】
なお、上述の説明では、ユーザ端末において、送客元アプリに表示された広告に基づいて送客先アプリが導入されたことをもって、広告に基づく成果が達成されたもの（成果達成条件が充足された）として送客評価値を更新（加点又は減点）するものとしたが、送客評価値を更新するための成果達成条件としてはこれに限られるものではない。成果達成条件として、例えば、成果達成条件（１）アプリ一覧ページにおいて送客先アプリの広告を選択、成果達成条件（２）送客先アプリの導入（ユーザ端末へインストールされた後の初回起動）、成果達成条件（３）送客先アプリの継続利用（例えば、ゲームであればチュートリアルの終了やレベル「３０」の達成等）、成果達成条件（４）送客先アプリにおける課金利用があげられる。さらに、成果達成条件として、成果達成条件（１）〜（４）から２以上を組み合わせたものでもよい。これらの成果達成条件のうち、成果達成条件（１）は、リワード広告（アプリ一覧）に基づく所定の成果が達成されたことの一例であり、成果達成条件（２）〜（４）は、リワード広告に掲載されている広告に示される送客先アプリに基づく所定の成果が達成されたことの一例である。
【００３８】
〔２．広告システム１の構成例〕
次に、本実施形態による広告システム１の構成について詳しく説明する。
図４は、本実施形態による広告システム１の構成の一例を示す概略構成図である。広告システム１は、複数のユーザ端末１０−Ｎ（Ｎは正の整数。ユーザ端末１０−１、ユーザ端末１０−２、・・・）と、アプリサーバ３０と、アプリサーバ４０と、管理サーバ５０と、備えており、これらはネットワークＮを介して通信可能に接続される。また、複数のユーザ端末１０−Ｎのそれぞれは、ネットワークＮを介して、外部のアプリストア７０に接続される。ここで、複数のユーザ端末１０−Ｎは同様の構成であるので、特に区別しない場合には、「−１」、「−２」等の記載を省略してユーザ端末１０として説明する。
【００３９】
ユーザ端末１０は、ユーザによって使用される端末装置であり、例えば、携帯電話やスマートフォン、タブレット端末、パーソナルコンピュータ、通信機能付きゲーム機などが用いられる。ここでは、ユーザ端末１０はスマートフォンであるとして説明する。
【００４０】
ネットワークＮは、例えば、携帯電話網、ＰＨＳ（Personal Handy-phone System）網、ＶＰＮ（Virtual Private Network）網、専用通信回線網、ＷＡＮ（Wide Area Network）、ＬＡＮ（Local Area Network）、ＰＳＴＮ（Public  Switched  Telephone  Network；公衆交換電話網）など、またはこれらの組み合わせによって構成される通信ネットワークである。
【００４１】
アプリサーバ３０及びアプリサーバ４０は、ユーザ端末１０に導入されるアプリケーションに対応するサーバ装置である。ここでは、アプリサーバ３０は、Ａ社の提供するアプリＡ１に対応するサーバ装置である。一方、アプリサーバ４０は、Ｂ社の提供するアプリＢ１に対応するサーバ装置である。例えば、ユーザ端末１０に導入されたアプリＡ１がゲームである場合、アプリＡ１のゲームをプレイするユーザに対応したユーザ情報をアプリサーバ３０に送信したり、ゲームのプレイ中に必要なゲーム情報をアプリサーバ３０から取得したりする。つまり、アプリサーバ３０は、ユーザ情報やゲーム情報などを管理する、なお、ここではアプリサーバとして、アプリサーバ３０及びアプリサーバ４０のみを図示しているが、アプリケーションの提供元ごと又はアプリケーションごとにアプリサーバが備えられている。
【００４２】
また、ユーザ端末１０に導入されるアプリケーションは、例えば、ネイティブ型のアプリケーションであってもよいし、クラウド型やＷｅｂ型のアプリケーションであってもよい。ネイティブ型のアプリケーションとは、アプリケーションのプログラムがユーザ端末１０にインストールされることにより、インストールされたプログラムに基づいてユーザ端末１０がアプリケーションに関する処理（例えば、ゲームの処理）を行うアプリケーションのことをいう。また、クラウド型やＷｅｂ型のアプリケーションとは、アプリケーションのプログラム（全部又は一部）がユーザ端末１０にインストールされていなくとも、アプリサーバがアプリケーションに関する処理（例えば、ゲームの処理）を行うことで、ユーザ端末１０からアプリサーバにアクセスして利用することができるアプリケーションのことをいう。ここでは、ユーザ端末１０に導入されるアプリケーションは、ネイティブ型のアプリケーションであるとして説明する。
【００４３】
管理サーバ５０は、本実施形態による広告システム１において、アプリケーションの提供元の間での送客の貢献度合いに応じてリワード広告の表示を制御する広告制御処理を行う。管理サーバ５０は、広告制御処理の一つとして、広告システム１に対応しているアプリケーションの広告情報を管理する。また、管理サーバ５０は、広告制御処理の一つとして、ユーザ端末１０において送客元アプリから送客先アプリへの送客に関する情報を取得して管理し、アプリケーションの提供元の間での送客の貢献度合いに応じてリワード広告に表示させる広告を決定する。
【００４４】
アプリストア７０は、ユーザ端末１０にインストール可能なアプリケーションをダウンロード可能なオンラインストアを提供するサーバ装置である。ユーザは、自身のユーザ端末１０からネットワークＮを介してアプリストア７０に接続して所望のアプリケーションを有料または無料で購入することにより、購入したアプリケーションを自身のユーザ端末１０にダウンロードしてインストールすることができる。
【００４５】
〔３．ユーザ端末１０の構成例〕
次に、図５を参照して、ユーザ端末１０のハードウェア構成を説明する。
図５は、本実施形態によるユーザ端末１０のハードウェア構成の一例を示す概略構成図である。この図に示すように、ユーザ端末１０は、入力部１１と、表示部１２と、端末通信部１３と、端末記憶部１４と、端末制御部１５とを備えている。
【００４６】
入力部１１は、ユーザの操作に応じてユーザの操作入力を受付ける入力デバイスである。入力部１１には、例えば、キーボードやボタン、タッチパネル、マウス、マイクロホン等を適用できる。
【００４７】
表示部１２は、アプリケーションの利用画面を表示する表示デバイスであり、例えば、ＬＣＤ（Liquid Crystal Display）、有機ＥＬ（Electro Luminescence）ディスプレイ等を適用できる。なお、アプリケーションの利用画面は、表示部１２の表示領域の一部又は全部を用いて表示される。つまり、表示部１２の表示領域が広い場合には、複数のアプリケーションの利用画面が表示されるようになっていてもよい。アプリケーションの利用画面には、画像や文字等の情報が表示される。なお、利用画面は「ページ」又は「ウィンドウ」とも呼ぶ。入力部１１と表示部１２とは一体に構成されてユーザからの操作入力を受け付けるタッチパネルとして適用することもできる。
【００４８】
端末通信部１３は、ネットワークＮを介して管理サーバ５０、アプリサーバ３０、アプリサーバ４０、又はアプリストア７０と通信する。
端末記憶部１４は、ＲＡＭ（Random Access Memory）、ＲＯＭ（Read Only Memory）、フラッシュＲＯＭ、ＨＤＤ（Hard Disk Drive）等の記録媒体またはこれらの組合せを用いて構成され、ユーザ端末１０が備える各部を制御するためのプログラム（例えば、端末制御部１５に基本動作を行わせるためのＯＳ（Operating System））、インストールされたアプリケーションのプログラム、各種情報等を記憶する。なお、端末記憶部１４は、ユーザ端末１０にインストールされた各アプリケーションからアクセスできる共有エリア（以下「アプリ間共有エリア」という）を有している。
【００４９】
端末制御部１５は、ユーザ端末１０の制御中枢として機能するＣＰＵ（Central Processing Unit）等の情報処理装置を備えており、ユーザ端末１０が備える各部を制御する。例えば、端末制御部１５は、端末記憶部１４に記憶されているＯＳに基づく基本動作の処理を実行するとともに、インストールされているアプリケーションのプログラムに基づく処理を実行する。また、端末制御部１５は、ＯＳ上で動作可能な各種のアプリケーション（Ｗｅｂブラウザや、アプリストア７０が提供するオンラインストアのストアページを表示させるアプリケーション等）の機能をＯＳを介して実行する処理を行う。
【００５０】
また、本実施形態においてユーザ端末１０にインストールされる広告システム１に対応したアプリケーションには、例えば、広告システム１で行われる広告制御に対応するためのプログラム（以下「ＳＤＫ（Software Development Kit）」という）が組み込まれている。このＳＤＫは、例えば、ユーザ端末１０にインストールされたアプリケーションと管理サーバ５０とを仲介するためのＡＰＩ（Application Programming Interface）の集合体で構成されている。ここで、各アプリケーションが送客元にも送客先にもなり得るため、送客元アプリに組み込まれるＳＤＫと、送客先アプリに組み込まれるＳＤＫとのいずれもが、送客元としての機能と送客先としての機能との両方を備えた構成である。
【００５１】
なお、広告システム１に対応するアプリケーションの中には、送客先アプリにはならないアプリケーションがあってもよい。送客先アプリにはならないアプリケーションには、送客元としての機能のみを備えたＳＤＫが組み込まれてもよいし、送客元としての機能と送客先としての機能との両方を備えたＳＤＫが組み込まれて送客先としての機能が禁止されるようにしてもよい。例えば、アプリケーションによるサービスの提供が終了することが決まっていて送客される必要がないようなアプリケーションは、送客先としての機能を具備しないようにしてもよい。
【００５２】
また、広告システム１に対応するアプリケーションの中には、送客元アプリにはならないアプリケーションがあってもよい。送客元アプリにはならないアプリケーションには、送客先としての機能のみを備えたＳＤＫが組み込まれてもよいし、送客元としての機能と送客先としての機能との両方を備えたＳＤＫが組み込まれて送客元としての機能が禁止されるようにしてもよい。例えば、アプリケーションによるサービスの提供が開始したばかりで当該アプリケーションから送客させないようにするアプリケーションは、送客元としての機能を具備しないようにしてもよい。
【００５３】
このように、管理サーバ５０は、広告システム１で行われる広告制御を、アプリケーションに組み込まれるＳＤＫを介して行うように構成したので、ＳＤＫを組み込み可能なアプリケーションとして構成することで、容易に広告システム１に対応するアプリケーションとすることができる。なお、ＳＤＫが予め組み込まれているアプリケーションがダウンロード可能に提供されてもよいし、インストールされているアプリケーションに対して後から組込み可能なＳＤＫが提供されてもよい。
【００５４】
次に、図６を参照して、本実施形態によるユーザ端末１０において、端末制御部１５がアプリケーションに組み込まれているＳＤＫに基づいて実行する処理の機能構成を説明する。
【００５５】
図６は、本実施形態によるユーザ端末１０の機能構成の一例を示す概略構成図である。
ユーザ端末１０は、機能構成として、初期化処理部１１０と、広告要求部１２０と、広告取得部１３０と、表示制御部１４０と、送客情報通知部１５０と、成果地点到達情報通知部１６０と、を備えている。
【００５６】
初期化処理部１１０は、ユーザ端末１０にインストールされているアプリケーションが起動すると初期化処理を実行する。具体的には、初期化処理部１１０は、識別情報取得部１１１と、インストール通知部１１２とを備えている。この初期化処理では、初期化処理部１１０は、ユーザ端末１０にインストールされたアプリケーションの初回起動時に、識別情報取得部１１１及びインストール通知部１１２の機能を実行する。また、初期化処理部１１０は、一度初期化処理が正常に終了した以降のアプリケーションの起動時には、初期化済みであることを確認し、識別情報取得部１１１及びインストール通知部１１２の機能を実行せずに終了する。
【００５７】
識別情報取得部１１１は、広告システム１においてユーザ端末１０ごとに設定される情報であって、そのユーザ端末１０を一意に識別可能な情報である識別情報（以下「識別ＩＤ」という）を取得する。例えば、識別情報取得部１１１は、擬似乱数列を生成し、生成した擬似乱数列を用いて他のユーザ端末１０に対応する識別ＩＤとは重複しないように識別ＩＤを生成して取得する。また、識別情報取得部１１１は、取得した識別ＩＤを、ユーザ端末１０にインストールされたいずれのアプリケーションからも参照可能なように端末記憶部１４のアプリ間共有エリアに記憶させる。
【００５８】
なお、識別情報取得部１１１は、広告システム１に対応するアプリケーションのうちの最初にユーザ端末１０にインストールされたアプリケーションの初回起動時に、識別ＩＤを取得する。そして、識別情報取得部１１１は、識別ＩＤを一旦取得した後は、端末記憶部１４のアプリ間共有エリアに記憶されている識別ＩＤを利用する。
【００５９】
インストール通知部１１２は、ユーザ端末１０にアプリケーションがインストールされたて起動した場合に、当該アプリケーションがインストールされて起動したことを示すインストール通知情報を管理サーバ５０に対して送信する。ここで、上述のインストール通知情報には、例えば、インストールされたアプリケーションを特定可能なアプリ識別情報（以下「アプリＩＤ」という）と、ユーザ端末１０に対応する識別ＩＤとが含まれる。なお、アプリＩＤと識別ＩＤの一方または両方は、このインストール通知情報に含まれずに、他のタイミングで管理サーバ５０に対して送信されるようにしてもよい。
【００６０】
また、インストール通知部１１２は、ユーザ端末１０にインストールされたアプリケーションを利用するユーザのユーザ情報（以下「アプリユーザＩＤ」という）をインストール通知情報にさらに含めて管理サーバ５０に対して送信してもよい。これにより、このインストール通知情報を取得した管理サーバ５０は、インストールされたアプリケーションにおけるアプリユーザＩＤと識別ＩＤとを関連付けて管理することができる。なお、アプリユーザＩＤは、このインストール通知情報に含まれずに、他のタイミングで管理サーバ５０に対して送信されるようにしてもよい。
【００６１】
広告要求部１２０は、送客元アプリ（例えばアプリＡ１）の利用に起因して、リワード広告を要求する広告要求情報を管理サーバ５０に対して送信する。例えば、利用中（実行中）の送客元アプリにおいてユーザがリワード広告を表示させるための所定の操作をしたことに応じて、広告要求部１２０は、広告要求情報を管理サーバ５０に対して送信する。この広告要求情報には、例えば、送客元アプリのアプリＩＤと、ユーザ端末１０に対応する識別ＩＤとが含まれる。なお、送客元アプリのアプリＩＤと識別ＩＤの一方または両方は、この広告要求情報に含まれずに、他のタイミングで管理サーバ５０に対して送信されるようにしてもよい。
【００６２】
広告取得部１３０は、広告要求部１２０が送信した広告要求情報に応じて管理サーバ５０から送信されるリワード広告を取得する。例えば、広告取得部１３０は、送客先アプリとして選択可能なアプリケーションがリスト型に表示されるアプリ一覧を、リワード広告として管理サーバ５０から取得する。具体的には、管理サーバ５０は、ユーザ端末１０で利用されている（実行されている）送客元アプリから広告要求情報を取得すると、リワード広告として表示されるアプリケーションの広告を選択してアプリ一覧ページを生成する。広告取得部１３０は、生成されたアプリ一覧ページを管理サーバ５０から取得して表示制御部１４０に引き渡す。
【００６３】
表示制御部１４０は、広告取得部１３０が取得したアプリ一覧ページを表示部１２に表示させる（図３参照）。例えば、表示制御部１４０は、送客元アプリにより表示部１２に表示されていた利用画面（例えば、ゲーム画面）の上に重ねたり切替えたりして、アプリ一覧ページを表示させる。
【００６４】
送客情報通知部１５０は、送客元アプリの利用を少なくとも含む要因に起因して表示されたアプリ一覧ページに対するユーザの操作に応じて、アプリ一覧ページに掲載されているいずれかのアプリケーションの広告が選択されると、選択されたアプリケーションの広告に対応した送客先アプリへ送客元アプリから送客されることを示す送客情報を管理サーバ５０に対して送信する。送客情報には、例えば、送客元アプリのアプリＩＤ（送客元情報）、送客先アプリのアプリＩＤ（送客先情報）、及びユーザ端末１０に対応する識別ＩＤが含まれる。なお、送客元アプリのアプリＩＤ、送客先アプリのアプリＩＤ、及び識別ＩＤの一部または全部は、この送客情報に含まれずに、他のタイミングで管理サーバ５０に対して送信されるようにしてもよい。
【００６５】
成果地点到達情報通知部１６０は、ユーザ端末１０にインストールされたアプリケーションをユーザが利用することにより、当該アプリケーションの所定の成果地点に到達した場合、成果地点に到達したことを示す成果地点到達情報を、管理サーバ５０に対して送信する。この成果地点到達情報には、例えば、ユーザ端末１０に対応する識別ＩＤと、所定の成果地点に到達したアプリケーションのアプリＩＤと、その成果地点を示す成果地点ＩＤと、その成果地点に到達したことを示す到達情報とが含まれる。なお、アプリＩＤ、成果地点ＩＤ、及び識別ＩＤの一部または全部は、この成果地点到達情報に含まれずに、他のタイミングで管理サーバ５０に対して送信されるようにしてもよい。
【００６６】
ここで、アプリケーションの所定の成果地点とは、当該アプリケーションの継続利用により到達する成果地点（例えば、ゲームであればチュートリアルの終了やレベル「３０」の達成等）である。なお、成果地点到達情報通知部１６０は、アプリケーションにおいて課金利用があったことに基づいて、成果地点到達情報を管理サーバ５０に対して送信してもよい。これらの成果地点は、例えば、アプリケーションごとに設定されている。この設定は、例えば、各アプリケーションに対応するアプリサーバ（例えば、アプリサーバ３０、アプリサーバ４０等）に設定されてもよい。
【００６７】
なお、図６に示すユーザ端末１０の機能構成のうち、例えば、初期化処理部１１０（識別情報取得部１１１、インストール通知部１１２）と、広告要求部１２０と、広告取得部１３０と、表示制御部１４０と、送客情報通知部１５０とが、送客元の機能構成に対応する。また、例えば、初期化処理部１１０（識別情報取得部１１１、インストール通知部１１２）と、成果地点到達情報通知部１６０とが、送客先の機能構成に対応する。
【００６８】
〔４．管理サーバ５０の構成例〕
次に、図７を参照して、管理サーバ５０のハードウェア構成を説明する。
図７は、本実施形態による管理サーバ５０のハードウェア構成の一例を示す概略構成図である。管理サーバ５０は、サーバ通信部５１と、サーバ記憶部５２と、サーバ制御部５３と、を備えている。サーバ通信部５１は、ネットワークＮを介して、ユーザ端末１０、アプリサーバ３０、アプリサーバ４０、又はアプリストア７０と通信する。
【００６９】
サーバ記憶部５２は、ＲＡＭ（Random Access Memory）、ＲＯＭ（Read Only Memory）、フラッシュＲＯＭ、ＨＤＤ（Hard Disk Drive）等の記録媒体またはこれらの組合せを用いて構成され、各種情報を記憶する。なお、サーバ記憶部５２は、外部に接続される外部記憶装置であってもよい。例えば、サーバ記憶部５２は、管理サーバ５０が備える各部を制御するためのプログラム（例えば、サーバ制御部５３に基本動作を行わせるためのＯＳ（Operating System））、広告制御処理を実行するための広告制御プログラム、アプリケーションの広告情報やユーザ端末１０から取得する送客情報等の各種情報を記憶する。
【００７０】
サーバ制御部５３は、管理サーバ５０の制御中枢として機能するＣＰＵ（Central Processing Unit）等の情報処理装置を備えており、管理サーバ５０が備える各部を制御する。例えば、サーバ制御部５３は、サーバ記憶部５２に記憶されているＯＳに基づく基本動作の処理を実行するとともに、広告制御プログラムに基づいて広告制御処理を実行する。
【００７１】
なお、アプリサーバ３０、及びアプリサーバ４０のハードウェア構成は、この管理サーバ５０のハードウェア構成と同等とすることができ、上述したサーバ記憶部５２に記憶される情報及びサーバ制御部５３が実行する処理が、各サーバ装置に対応する情報及び処理となる。
【００７２】
次に、図８を参照して、本実施形態による管理サーバ５０の機能構成について説明する。図８は、本実施形態による管理サーバ５０の機能構成の一例を示す概略構成図である。
管理サーバ５０は、サーバ制御部５３が広告制御プログラム等に基づいて実行する機能として、管理部５１０と、成果達成情報取得部５３０と、送客評価部５４０と、広告情報処理部５５０と、ストア情報通知部５６０と、リワード処理部５７０と、を備えている。
【００７３】
〔４−１．サーバ記憶部５２の構成〕
また、管理サーバ５０のサーバ記憶部５２は、アプリケーション情報記憶部５２１と、リワード情報記憶部５２２と、インストール情報記憶部５２３と、送客情報記憶部５２４と、成果地点到達情報記憶部５２５と、送客評価値記憶部５２６と、を備えている。なお、各記憶部が記憶する各種情報は、データベースのテーブル形式やＪＳＯＮ（JavaScript（登録商標）Object Notation）形式など、その情報の利用に適した形式で格納されていればよい。
【００７４】
アプリケーション情報記憶部５２１は、広告システム１に対応するアプリケーションに関する情報を記憶する。図９は、アプリケーション情報記憶部５２１に記憶されるアプリケーション情報テーブルＴＢＬ５２１の一例を示す図である。アプリケーション情報テーブルＴＢＬ５２１には、アプリＩＤと、グループＩＤと、当該アプリケーションの名称を示すアプリ名称と、アプリ説明と、アプリアイコン画像ＵＲＬ（Uniform Resource Locator）と、ストアＵＲＬと、広告除外フラグと、通知先ＵＲＬと、が関連付けられて格納される。
【００７５】
アプリＩＤは、アプリケーションを識別する情報である。グループＩＤは、このアプリケーションが属するグループを識別する情報である。ここで、アプリケーションが属するグループとはアプリケーションを提供する提供元（会社）のことを指しており、グループＩＤにより示されるグループＡがＡ社、グループＢがＢ社、グループＣがＣ社、グループＤがＤ社、グループＥがＥ社に対応する。アプリＡ１、アプリＡ２、及びアプリＡ３はＡ社に属しているため、アプリＡ１、アプリＡ２、及びアプリＡ３のそれぞれのアプリＩＤと、グループＡのグループＩＤとが関連付けられている。アプリＢ１、アプリＢ２、及びアプリＢ３はＢ社に属しているため、アプリＢ１、アプリＢ２、及びアプリＢ３のそれぞれのアプリＩＤと、グループＢのグループＩＤとが関連付けられている。アプリＣ１、アプリＣ２、及びアプリＣ３はＣ社に属しているため、アプリＣ１、アプリＣ２、及びアプリＣ３のそれぞれのアプリＩＤと、グループＣのグループＩＤとが関連付けられている。
アプリＤ１はＤ社に属しているため、アプリＤ１のアプリＩＤと、グループＤのグループＩＤとが関連付けられている。アプリＥ１、及びアプリＥ２はＥ社に属しているため、アプリＥ１、及びアプリＥ２のそれぞれのアプリＩＤと、グループＥのグループＩＤとが関連付けられている。
【００７６】
アプリ名称は、アプリケーションの名称（タイトル）を示す情報である。アプリ説明は、アプリケーションに関する詳細情報（アプリケーションの機能や価格等）を説明する情報である。アプリアイコン画像ＵＲＬは、アプリケーションのアイコン画像のリンク先を示すＵＲＬである。ストアＵＲＬは、アプリストア７０が提供するオンラインストアのアプリケーションをダウンロード可能なストアページのＵＲＬである。これらアプリ名称、アプリ説明、アプリアイコン画像ＵＲＬ（又はリンク先のアイコン画像）等の情報は、アプリ一覧に掲載されるアプリケーションの広告で利用される広告情報である。
【００７７】
広告除外フラグは、アプリ一覧に掲載される広告から除外するか否かを設定するフラグ情報である。例えば、アプリ一覧に掲載される広告から除外しない場合、広告除外フラグには除外しないことを示すフラグ情報（例えば、「０」）が設定される。一方、アプリ一覧に掲載される広告から除外する場合、広告除外フラグには除外することを示すフラグ情報（例えば、「１」）が設定される。ここで、アプリ一覧に掲載される広告から除外するアプリケーションとは、送客先アプリにはならないアプリケーションであって、例えば、アプリケーションによるサービスの提供が終了することが決まっていて、送客される必要がないようなアプリケーションである。
【００７８】
また、通知先ＵＲＬは、リワード処理において、報酬付与先となるアプリケーションのアプリサーバのＵＲＬであって、例えば、アプリＡ１にはアプリＡ１に対応するアプリサーバ３０のＵＲＬが設定される。
【００７９】
なお、これらのアプリケーション情報は、例えば、アプリストア７０からダウンロード可能になる前に設定されてアプリケーション情報記憶部５２１に記憶される。また、一旦設定された後に各情報の変更も可能である。
【００８０】
リワード情報記憶部５２２は、アプリケーションごとの報酬内容に関するリワード情報を記憶する。リワード情報には、アプリケーションで付与される報酬内容を識別する情報（例えば、報酬として付与されるアイテムのアイテムＩＤ）と、その報酬の名称及び数量等が、アプリケーションのアプリＩＤとが関連付けられている。
【００８１】
インストール情報記憶部５２３は、ユーザ端末１０で実行されている送客元アプリ、又は送客先アプリから送信されて管理サーバ５０が取得したインストール通知情報に基づいて、そのインストール通知情報を送信したアプリケーションがユーザ端末１０にインストールされたことを示すインストール管理情報を記憶する。例えば、インストール管理情報には、取得したインストール通知情報に基づいて、識別ＩＤと、アプリＩＤと、アプリユーザＩＤとが関連付けられる。
【００８２】
ここで、広告システム１による広告を介さずにアプリケーションがインストールされた場合と、広告システム１による広告を介してインストールされた場合とのいずれでも、ユーザ端末１０で実行されたアプリケーションからインストール通知情報が送信され、そのインストール通知情報に基づくインストール管理情報がインストール情報記憶部５２３に記憶される。よって、一旦インストールしたアプリケーションをアンインストールした後に再びインストールしても、当該アプリケーションのインストール管理情報がインストール情報記憶部５２３に記憶されているので、管理サーバ５０は、２重に送客評価値を更新したり報酬を付与したりすることを防止できる。
【００８３】
送客情報記憶部５２４は、ユーザ端末１０から送信されて管理サーバ５０が取得した送客情報に基づいて送客管理情報を記憶する。例えば、送客管理情報には、管理サーバ５０が取得した送客情報に基づいて、送客元アプリのアプリＩＤ（送客元情報）、送客先アプリのアプリＩＤ（送客先情報）、及びユーザ端末１０に対応する識別ＩＤと、が関連付けられる。
【００８４】
成果地点到達情報記憶部５２５は、ユーザ端末１０で実行されている送客先アプリから送信されて管理サーバ５０が取得した成果地点到達情報に基づいて、成果地点到達管理情報を記憶する。例えば、成果地点到達管理情報には、管理サーバ５０が取得した成果地点到達情報に基づいて、ユーザ端末１０に対応する識別ＩＤと、成果地点に到達したアプリケーションのアプリＩＤと、成果地点を示す成果地点ＩＤと、成果地点に到達したことを示す到達情報とが関連付けられる。  
【００８５】
この成果地点到達管理情報は、送客情報記憶部５２４に記憶された送客管理情報の送客先アプリのアプリＩＤに対応する成果地点到達情報をユーザ端末１０で実行されている送客先アプリから取得したときに、新たなレコードが生成されて成果地点到達情報記憶部５２５に記憶される。なお、成果地点が複数ある場合には、成果地点到達管理情報は、一つの送客先アプリに対して複数のレコードが生成されて成果地点到達情報記憶部５２５に記憶される。
【００８６】
送客評価値記憶部５２６は、送客評価値を更新するための成果達成条件に基づいて、更新される送客評価値を記憶する。この成果達成条件とは、前述したように例えば、成果達成条件（１）〜（４）等のいずれか一つ又は２以上を組み合わせたものである。
【００８７】
例えば、送客評価値記憶部５２６は、送客評価値として、グループ送客評価値と個別送客評価値とを記憶する。
【００８８】
図１０は、送客評価値記憶部５２６に記憶される送客評価値テーブルＴＢＬ５２６の一例を示す図である。送客評価値テーブルＴＢＬ５２６には、グループＩＤと、当該グループＩＤが示すグループに対するグループ送客評価値と、グループＩＤが示すグループに属するアプリケーションのアプリＩＤと、当該アプリＩＤが示すアプリケーションに対する個別送客評価値と、が関連付けられて格納される。
【００８９】
例えば、アプリＡ１のアプリＩＤとアプリＡ１の個別送客評価値（ＰＡ１）とが関連付けられている。アプリＡ２のアプリＩＤとアプリＡ２の個別送客評価値（ＰＡ２）とが関連付けられている。アプリＡ３のアプリＩＤとアプリＡ３の個別送客評価値（ＰＡ３）とが関連付けられている。そして、これらのアプリＡ１、Ａ２、Ａ３のアプリＩＤと個別送客評価値ＰＡ１、ＰＡ２、ＰＡ３は、グループＡのグループＩＤと、グループＡのグループ送客評価値（ＰＡ）と関連付けられている。
【００９０】
同様に、アプリＢ１のアプリＩＤとアプリＢ１の個別送客評価値（ＰＢ１）とが関連付けられている。アプリＢ２のアプリＩＤとアプリＢ２の個別送客評価値（ＰＢ２）とが関連付けられている。アプリＢ３のアプリＩＤとアプリＢ３の個別送客評価値（ＰＢ３）とが関連付けられている。そして、これらのアプリＢ１、Ｂ２、Ｂ３のアプリＩＤと個別送客評価値ＰＢ１、ＰＢ２、ＰＢ３は、グループＢのグループＩＤと、グループＢのグループ送客評価値（ＰＢ）と関連付けられている。
【００９１】
また、グループＣ、Ｄ、Ｅについても同様に、グループのグループＩＤと、当該グループのグループ送客評価値と、当該グループに属するアプリケーションのアプリＩＤと、当該アプリケーションの個別送客評価値とが関連付けられている。
【００９２】
なお、送客評価値記憶部５２６は、送客評価値を更新するための成果達成条件ごとに、送客評価値を加点又は減点する量（点数）を記憶してもよい。
【００９３】
〔４−２．管理部５１０の構成〕
図８に戻り、管理部５１０は、サーバ記憶部５２に記憶される各種情報を管理する。各種情報とは、上述した、アプリケーション情報記憶部５２１、リワード情報記憶部５２２、インストール情報記憶部５２３、送客情報記憶部５２４、成果地点到達情報記憶部５２５、及び送客評価値記憶部５２６に記憶されている各種情報である。一例として、管理部５１０は、複数のグループのそれぞれに属する一又は複数のアプリケーションのそれぞれに関連付けられた広告情報を管理する。
【００９４】
例えば、管理サーバ５０が備える、成果達成情報取得部５３０、送客評価部５４０、広告情報処理部５５０、ストア情報通知部５６０、及びリワード処理部５７０は、管理部５１０を介して、サーバ記憶部５２が備える各部に各種情報を記憶させたり、サーバ記憶部５２が備える各部に記憶されている各種情報を参照又は読み出したりする。
なお、以下では説明を容易にするために、サーバ記憶部５２が備える各部に対する処理の記述において、管理部５１０を介することを省略して記述する。
【００９５】
〔４−３．成果達成情報取得部５３０の構成〕
成果達成情報取得部５３０は、インストール通知取得部５３１と、送客情報取得部５３２と、成果地点到達情報取得部５３３と、を備えている。
インストール通知取得部５３１は、ユーザ端末１０で実行されている送客元アプリ、又は送客先アプリから送信されたインストール通知情報を取得する。このインストール通知情報には、前述したように例えば、ユーザ端末１０に対応する識別ＩＤと、このインストール通知情報を送信したアプリケーションのアプリＩＤとが含まれている。また、このインストール通知情報には、さらにアプリケーションのアプリユーザＩＤが含まれてもよい。そして、インストール通知取得部５３１は、取得したインストール通知情報に基づくインストール管理情報をインストール情報記憶部５２３に記憶させる。また、インストール通知取得部５３１は、取得したインストール通知情報を送客評価部５４０に引き渡す。
【００９６】
送客情報取得部５３２は、ユーザ端末１０で実行されている送客元アプリから送信された送客情報を取得する。この送客情報には、前述したように例えば、送客元アプリのアプリＩＤ（送客元情報）、送客先アプリのアプリＩＤ（送客先情報）、及びユーザ端末１０に対応する識別ＩＤが含まれる。また、送客情報取得部５３２は、取得した送客情報を送客評価部５４０に引き渡す。なお、送客評価部５４０の機能について詳しくは後述するが、送客情報取得部５３２が取得した送客情報は、送客評価部５４０を介して送客情報記憶部５２４に送客管理情報として記憶される。これは、既に取得済みの送客情報と同一の送客元アプリから送客先アプリへの送客情報の取得があった場合に、送客評価部５４０が２重に送客評価値を更新しないようにするためである。つまり、送客評価部５４０は、送客情報取得部５３２が送客情報を取得した場合、その送客情報を一旦受け取ってから送客情報記憶部５２４に送客管理情報として記憶させるため、その送客情報と同一の送客情報に基づく送客管理情報が、その送客情報を取得する前に送客情報記憶部５２４に記憶されているか否かを判定することができる。よって、送客評価部５４０は、この判定結果に基づいて、同一の送客情報の取得に対して２重に送客評価値を更新しないようにすることができる。
【００９７】
成果地点到達情報取得部５３３は、ユーザ端末１０で実行されている送客先アプリから送信された成果地点到達情報を取得する。この成果地点到達情報には、前述したように例えば、ユーザ端末１０に対応する識別ＩＤと、成果地点に到達したアプリケーションのアプリＩＤと、成果地点を示す成果地点ＩＤと、この成果地点に到達したことを示す到達情報とが含まれる。そして、成果地点到達情報取得部５３３は、取得した成果地点到達情報に基づく成果地点到達管理情報を成果地点到達情報記憶部５２５に記憶させる。また、成果地点到達情報取得部５３３は、取得した成果地点到達情報を送客評価部５４０に引き渡す。
【００９８】
〔４−４．送客評価部５４０の構成〕
送客評価部５４０は、個別評価部５４１と、グループ評価部５４２と、を備えている。
個別評価部５４１は、ユーザ端末１０における送客元アプリの利用を少なくとも含む要因に起因して表示されるリワード広告（アプリ一覧）、及び当該リワード広告に掲載されている広告に示される送客先アプリ、のうちの少なくとも一方に基づく所定の成果が達成されたことに基づいて、送客元アプリを評価する。
【００９９】
個別評価部５４１は、前述したように例えば、成果達成条件（１）〜（４）等のいずれか一つ又は２以上を組み合わせた成果達成条件に基づいて、送客元アプリを評価する。以下、成果達成条件（１）〜（４）のそれぞれに対応する個別評価部５４１の機能を説明する。
【０１００】
成果達成条件（１）：アプリ一覧ページにおいて送客先アプリの広告を選択
個別評価部５４１は、送客情報取得部５３２から送客情報を受け取った場合、送客情報を受け取ったことに基づいて、送客情報により特定される送客元アプリに対する個別送客評価値を増加（例えば、＋１）させる。具体的には、個別評価部５４１は、送客情報を受け取った場合、送客情報記憶部５２４に記憶されている送客管理情報を参照して、受け取った送客情報と同一の送客元アプリから送客先アプリへの送客情報を同一のユーザ端末１０から取得済みであるか否かを判定する。そして、個別評価部５４１は、上記同一の送客情報を取得済みでないと判定した場合、送客元アプリに対する個別送客評価値を増加（例えば、＋１）させる。例えば、個別評価部５４１は、送客評価値記憶部５２６に記憶されている送客元アプリに対する個別送客評価値を、増加（例えば、＋１）させた値に更新する。
【０１０１】
一方、個別評価部５４１は、上記同一の送客情報を取得済みであると判定した場合、送客元アプリに対する個別送客評価値を更新しない。これにより、同一の送客元アプリから送客先アプリが選択された場合に個別送客評価値の更新が２重に行われないようにすることができる。
【０１０２】
このように、個別評価部５４１は、送客評価値を更新するための成果達成条件として、アプリ一覧ページにおいて送客先アプリの広告が選択されたことに基づいて、送客元アプリに対する個別送客評価値を更新してもよい。
【０１０３】
成果達成条件（２）：送客先アプリの導入
また、個別評価部５４１は、インストール通知取得部５３１からインストール通知情報を受け取った場合、送客情報記憶部５２４に記憶されている送客管理情報を参照して、受け取ったインストール通知情報に対応する送客管理情報が送客情報記憶部５２４に記憶されているか否かを判定する。ここで、インストール通知情報に対応する送客管理情報とは、インストール通知情報により特定されるアプリケーションが送客先アプリであって、且つインストール通知情報により特定されるユーザ端末１０で実行されている送客元アプリから送信された送客情報に基づいた情報である。そして、個別評価部５４１は、受け取ったインストール通知情報に対応する送客管理情報が送客情報記憶部５２４に記憶されていると判定した場合、この送客管理情報により特定される送客元アプリに対する個別送客評価値を増加（例えば、＋１）させる。例えば、個別評価部５４１は、送客評価値記憶部５２６に記憶されている送客元アプリに対する個別送客評価値を、増加（例えば、＋１）させた値に更新する。
【０１０４】
一方、個別評価部５４１は、受け取ったインストール通知情報に対応する送客管理情報が送客評価値記憶部５２６に記憶されていないと判定した場合、送客元アプリに対する個別送客評価値を更新しない。これにより、リワード広告に基づいて送客された送客先アプリの導入を個別送客評価値の更新対象とすることができる。また、リワード広告とは関係なく送客先アプリが導入された場合には個別送客評価値の更新対象としないようにすることができる。
【０１０５】
このように、個別評価部５４１は、送客評価値を更新するための成果達成条件として、ユーザ端末１０に送客先アプリが導入（ユーザ端末１０にインストールされた後に初回起動）されたことに基づいて、送客に貢献した送客元アプリに対する個別送客評価値を更新してもよい。
【０１０６】
成果達成条件（３）：送客先アプリの継続利用
個別評価部５４１は、成果地点到達情報取得部５３３から成果地点到達情報を受け取った場合、送客情報記憶部５２４に記憶されている送客管理情報を参照して、受け取った成果地点到達情報に対応する送客管理情報が送客情報記憶部５２４に記憶されているか否かを判定する。ここで、成果地点到達情報に対応する送客管理情報とは、成果地点到達情報により特定されるアプリケーションが送客先アプリであって、且つ成果地点到達情報により特定されるユーザ端末１０で実行されている送客先アプリから送信された送客管理情報である。そして、個別評価部５４１は、受け取った成果地点到達情報に対応する送客管理情報が送客情報記憶部５２４に記憶されていると判定した場合、この送客管理情報により特定される送客元アプリに対する個別送客評価値を増加（例えば、＋１）させる。例えば、個別評価部５４１は、送客評価値記憶部５２６に記憶されている送客元アプリに対する個別送客評価値を、増加（例えば、＋１）させた値に更新する。
【０１０７】
一方、個別評価部５４１は、受け取った成果地点到達情報に対応する送客管理情報が送客情報記憶部５２４に記憶されていないと判定した場合、送客元アプリに対する個別送客評価値を更新しない。これにより、リワード広告に基づいて導入された送客先アプリの継続利用（例えば、ゲームであればチュートリアルの終了やレベル「３０」の達成等）を個別送客評価値の更新対象とすることができる。また、リワード広告とは関係なく導入されたアプリケーションの継続利用を個別送客評価値の更新対象としないようにすることができる。
【０１０８】
このように、個別評価部５４１は、送客評価値を更新するための成果達成条件として、ユーザ端末１０に導入された送客先アプリが継続利用されることに基づいて、送客に貢献した送客元アプリに対する個別送客評価値を更新してもよい。
【０１０９】
成果達成条件（４）：送客先アプリにおける課金利用
送客先アプリにおける課金利用を、送客先アプリの成果地点としてもよい。例えば、個別評価部５４１は、送客先アプリにおいて課金利用があったことに応じてユーザ端末１０で実行されている送客先アプリから送信された成果地点到達情報に基づいて、送客に貢献した送客元アプリに対する個別送客評価値を更新してもよい。これにより、個別評価部５４１は、ユーザ端末１０に導入された送客先アプリにおいて課金利用があったことに基づいて、送客に貢献した送客元アプリに対する個別送客評価値をさらに更新することもできる。
【０１１０】
このように、個別評価部５４１は、送客評価値を更新するための成果達成条件として、ユーザ端末１０に導入された送客先アプリにおける課金利用があったことに基づいて、送客に貢献した送客元アプリに対する個別送客評価値を更新してもよい。
【０１１１】
なお、個別評価部５４１は、成果達成条件の種類に応じて、個別送客評価値に加点する点数を変更してもよい。例えば、個別送客評価値の加点を、送客先アプリの導入では＋１とし、さらに送客先アプリにおける課金利用では＋２としてもよい。このように、優良なユーザを送客先アプリへ送客した場合には、送客元アプリに対する個別送客評価値の加点を高くしてもよい。
【０１１２】
また、個別評価部５４１は、ユーザ端末１０における送客元アプリの利用を少なくとも含む要因に起因して表示されるリワード広告（アプリ一覧）、及び当該リワード広告に掲載されている広告に示される送客先アプリ、のうちの少なくとも一方に基づく所定の成果が達成されたことに基づいて、送客元アプリを評価する。また、送客元アプリだけなく送客先アプリを評価してもよいし、送客元アプリに代えて送客先アプリを評価してもよい。
【０１１３】
例えば、個別評価部５４１は、送客情報取得部５３２から送客情報を受け取った場合、受け取った送客情報と同一の送客元アプリから送客先アプリへの送客情報を同一のユーザ端末１０から取得済みでない場合には、受け取った送客情報により特定される送客先アプリに対する個別送客評価値を減少（例えば、−１）させてもよい。
【０１１４】
また、個別評価部５４１は、インストール通知取得部５３１からインストール通知情報を受け取った場合、受け取ったインストール通知情報に対応する送客管理情報が送客情報記憶部５２４に記憶されている場合には、送客先アプリに対する個別送客評価値を減少（例えば、−１）させてもよい。
【０１１５】
また、個別評価部５４１は、成果地点到達情報取得部５３３から成果地点到達情報を受け取った場合、受け取った成果地点到達情報に対応する送客管理情報が送客情報記憶部５２４に記憶されている場合には、送客先アプリに対する個別送客評価値を減少（例えば、−１）させてもよい。
【０１１６】
なお、個別送客評価値に対する加点又は減点の量（点数）は、＋１、＋２、−１等に限られるものではなく、管理サーバ５０において任意に設定できる。
【０１１７】
グループ評価部５４２は、ユーザ端末１０における送客元アプリの利用を少なくとも含む要因に起因して表示されるリワード広告（アプリ一覧）、及び当該リワード広告に掲載されている広告に示される送客先アプリ、のうちの少なくとも一方に基づく所定の成果が達成されたことに基づいて、送客元アプリが属するグループ（アプリケーションの提供元）を評価する。
【０１１８】
例えば、グループ評価部５４２は、グループのグループ送客評価値を、そのグループに属するアプリケーションの個別送客評価値に基づいて算出し、送客評価値記憶部５２６に記憶されているグループ送客評価値を算出した値に更新する。具体的には、グループ評価部５４２は、グループのグループ送客評価値を、そのグループに属するアプリケーションの個別送客評価値の合計値として算出してもよい。例えば、グループ評価部５４２は、送客評価値記憶部５２６に記憶されているグループ送客評価値を、そのグループに属するアプリケーションの個別送客評価値の合計値に更新する。
【０１１９】
図１０に示す送客評価値テーブルＴＢＬ５２６を例にすると、例えば、グループ評価部５４２は、グループＡのグループ送客評価値ＰＡを、アプリＡ１の個別送客評価値ＰＡ１、アプリＡ２の個別送客評価値ＰＡ２、及びアプリＡ３の個別送客評価値ＰＡ３を合計した合計値とする（以下の数式１参照）。
【０１２０】
ＰＡ＝ＰＡ１＋ＰＡ２＋ＰＡ３    ・・・（数式１）
【０１２１】
なお、グループ評価部５４２は、グループのグループ送客評価値を算出する場合、そのグループに属するアプリケーションの個別送客評価値の合計値とする以外にも様々な算出方法を適用することができる。例えば、グループ評価部５４２は、グループのグループ送客評価値を、そのグループに属するアプリケーションの個別送客評価値の最大値としてもよい。
【０１２２】
図１０に示す送客評価値テーブルＴＢＬ５２６を例にすると、例えば、グループ評価部５４２は、グループＡのグループ送客評価値ＰＡを、アプリＡ１の個別送客評価値ＰＡ１、アプリＡ２の個別送客評価値ＰＡ２、及びアプリＡ３の個別送客評価値ＰＡ３うちの最大値とする（以下の数式２参照）。
【０１２３】
ＰＡ＝ＭＡＸ（ＰＡ１、ＰＡ２、ＰＡ３）  ・・・（数式２）
ここで、ＭＡＸ（）は、（）内の個別送客評価値の最大値を表す。
【０１２４】
また、グループ評価部５４２は、グループのグループ送客評価値を、そのグループに属するアプリケーションのうちの一部の個別送客評価値に基づいて算出してもよい。例えば、グループ評価部５４２は、グループのグループ送客評価値を、そのグループに属するアプリケーションのうちの一部の個別送客評価値の合計としてもよい。一例として、グループのグループ送客評価値を、そのグループに属するアプリケーションの個別送客評価値のうちの最大値と２番目に大きい値との合計値とする（以下の数式３参照）。
【０１２５】
ＰＡ＝ＭＡＸ（ＰＡ１、ＰＡ２、ＰＡ３）＋ＮＥＸＴ（ＰＡ１、ＰＡ２、ＰＡ３） ・・・（数式３）
ここで、ＭＡＸ（）は、（）内の個別送客評価値の最大値を表す。また、ＮＥＸＴ（）は、（）内の個別送客評価値の２番目に大きい値を表す。
【０１２６】
このようにグループ送客評価値の算出方法としては、上述の数式１、数式２、又は数式３による算出方法を適用してもよいし、それ以外の様々な算出方法を適用してもよい。なお、本実施形態では、グループ送客評価値の算出方法として、グループに属するアプリケーションの個別送客評価値の合計値とするものとして説明する。
【０１２７】
〔４−５．広告情報処理部５５０の構成〕
広告情報処理部５５０は、広告要求取得部５５１と、広告情報決定部５５２と、広告通知部５５３と、を備えている。
広告要求取得部５５１は、ユーザ端末１０で実行されている送客元アプリから送信された広告要求情報を取得し、取得した広告要求情報を広告情報決定部５５２に引き渡す。広告情報決定部５５２は、広告要求取得部５５１から広告要求情報を受け取った場合、ユーザ端末１０で実行されている送客元アプリの利用画面にリワード広告として表示させるアプリケーションを決定してアプリ一覧ページを生成する。例えば、広告情報決定部５５２は、ブラウザ機能により表示可能なＨＴＭＬ（Hyper Text Markup Language）形式で記述されたアプリ一覧ページのデータを生成する。広告通知部５５３は、広告情報決定部５５２が生成したアプリ一覧ページをユーザ端末１０に対して送信する。
【０１２８】
ここで、広告情報決定部５５２が、ユーザ端末１０で実行されている送客元アプリの利用画面にリワード広告として表示させるアプリケーションを決定してアプリ一覧ページを生成する機能について詳しく説明する。広告情報決定部５５２は、グループ評価部５４２が評価した評価結果に基づいて、複数のグループのうちのいずれかのグループを選択する。次に、広告情報決定部５５２は、選択したグループに属するいずれかのアプリケーションの広告を、ユーザ端末１０に表示されるリワード広告として決定する。
【０１２９】
例えば、広告情報決定部５５２は、アプリ一覧ページを生成する場合、グループ評価部５４２が評価した評価結果に基づいて、複数のグループのうちの一部又は全部を順位付けして選択する。具体的には、広告情報決定部５５２は、複数のグループのうちの一部又は全部を、グループ送客評価値の大きい順に順位付けして選択する。
【０１３０】
また、広告情報決定部５５２は、順位付けして選択した各グループにおいて、各グループに属するアプリケーションのうちからアプリ一覧ページにリワード広告として表示させるアプリケーションを決定する。例えば、広告情報決定部５５２は、アプリ一覧ページの送信先のユーザ端末１０に既に導入済みであるアプリケーションを除外した、残りのアプリケーションのうちから決定する。
【０１３１】
ここで、グループ内において、導入済みのアプリケーションを除外した後の残りのアプリケーションが一つの場合には、そのアプリケーションがそのグループにおいてリワード広告として表示させるアプリケーションに決定される。
【０１３２】
一方、グループ内において、導入済みのアプリケーションを除外した後にリワード広告の対象となるアプリケーションが複数ある場合には、広告情報決定部５５２は、その複数のアプリケーションのうちから、アプリ一覧ページにリワード広告として表示させるアプリケーションを決定する。例えば、広告情報決定部５５２は、個別送客評価値に基づいて、グループ内の複数のアプリケーションのうちから個別送客評価値の最も大きいアプリケーションに決定する。
【０１３３】
ここで、各グループのグループ送客評価値及び各アプリケーションの個別送客評価値が図２に示す値であった場合を例にして、広告情報決定部５５２が生成するアプリ一覧ページの具体例を説明する。広告情報決定部５５２は、複数のグループのうちからグループ送客評価値の大きい順に、グループＡ（Ａ社）、グループＢ（Ｂ社）、グループＣ（Ｃ社）、グループＤ（Ｄ社）、グループＥ（Ｅ社）の順に順位付けして選択する。
【０１３４】
次に、広告情報決定部５５２は、順位付けして選択した各グループにおいてアプリ一覧ページにリワード広告として表示させるアプリケーションを、各グループ内で個別送客評価値の最も大きいアプリケーションに決定する。例えば、グループＢ、グループＣ、グループＤ、及びグループＥでは、各グループ内で個別送客評価値の最も大きいアプリＢ１、アプリＣ３、アプリＤ１、及びアプリＥ１にそれぞれ決定される。また、グループＡでは、ユーザ端末１０にアプリＡ１が導入済みであるため、アプリＡ１の次に個別送客評価値の大きいアプリＡ２に決定される。そして、広告情報決定部５５２は、各グループにおいて決定したアプリケーションの広告を、順位付けしたグループの順に従って並べたアプリ一覧ページを生成する。例えば、広告情報決定部５５２は、上側（先頭）から下側に向かってアプリＡ２、アプリＢ１、アプリＣ３、アプリＤ１、アプリＥ１の順に並べたアプリ一覧ページを生成する（図３参照）。
【０１３５】
このように、広告情報決定部５５２は、各グループに属するいずれかのアプリケーションの広告を、グループ送客評価値の大きい順に従って、上側（先頭）から下側に並べたリスト型の広告であるアプリ一覧ページを生成する。これにより、広告システム１では、送客に多く貢献しているアプリケーションの提供元が提供するいずれかのアプリケーションの広告を、ユーザ端末１０においてアプリ一覧ページにおいて最も上に表示させることで、他のアプリケーションの広告よりも目立たせることができる。例えば、送客に最も多く貢献している提供元で、且つ最も多く貢献しているアプリケーションが既にユーザ端末１０に導入済みであっても、そのアプリケーションの提供元の他のアプリケーションをユーザ端末１０において目立つように表示させることができる。よって、アプリケーション間で送客を行う場合に、送客に多く貢献しているアプリケーションの提供元にとって送客に結びつく効果的な広告の表示ができないことを軽減することができる。
【０１３６】
なお、広告情報決定部５５２は、アプリケーションの広告が目立つように表示させる方法としては、アプリ一覧ページにおいて最も上に表示させる方法に限らず、例えば、他のアプリケーションの広告よりも、最も大きく表示させるようにしてもよいし、最も長い時間表示させるようにしてもよいし、最も多くの回数で表示させるようにしてもよい。
【０１３７】
〔４−６．ストア情報通知部５６０の構成〕
ストア情報通知部５６０は、ユーザ端末１０で実行されている送客元アプリから送信された送客情報を送客情報取得部５３２が取得すると、送客情報に含まれる送客先アプリのアプリＩＤに関連付けられているストアＵＲＬのストアページをユーザ端末１０に送信する。
【０１３８】
〔４−７．リワード処理部５７０の構成〕
リワード処理部５７０は、ユーザ端末１０において、送客元アプリから送客先アプリへの送客が行われたことに基づいて、ユーザ端末１０を利用するユーザに送客元アプリ、及び送客先アプリのうちの少なくとも一方における報酬が付与されるリワード処理を実行する。
【０１３９】
例えば、リワード処理部５７０は、インストール通知取得部５３１がインストール通知情報を取得した場合、このインストール通知情報を送信したアプリケーションが送客先アプリとなっている送客管理情報が送客情報記憶部５２４に記憶されているか否かを判定する。そして、リワード処理部５７０は、このアプリケーションが送客先アプリとなっている送客管理情報が送客情報記憶部５２４に記憶されている場合には、このアプリケーションが広告システム１のリワード広告に起因して送客元アプリから送客された送客先アプリであると判定する。この場合、リワード処理部５７０は、送客元アプリから送客先アプリへの送客が行われたと判定して、送客元アプリに対応するアプリサーバに対して、報酬付与条件が充足されたことを示す報酬付与情報を送信する。例えば、リワード処理部５７０は、アプリＡ１からアプリＢ１への送客が行われたと判定した場合、アプリＡ１に対応するアプリサーバ３０に対して、報酬付与条件が充足されたことを示す報酬付与情報を送信する。この報酬付与情報には、例えば、アプリＡ１において報酬が付与されるユーザを特定可能なように、アプリＡ１におけるアプリユーザＩＤが含まれる。これにより、アプリサーバ３０は、ユーザ端末１０を利用するユーザのアプリＡ１における報酬を付与することができる。
【０１４０】
なお、リワード処理部５７０は、成果地点到達情報取得部５３３が成果地点到達情報を取得した場合であって、且つこの成果地点到達情報を取得したアプリケーションが送客先アプリとなっている送客管理情報が送客情報記憶部５２４に記憶されている場合に、送客元アプリ、及び送客先アプリのうちの少なくとも一方に対応するアプリサーバに対して、報酬付与情報を送信してもよい。
【０１４１】
〔５．広告システム１における広告制御処理の動作例〕
次に、図１１及び図１２を参照して、本実施形態による広告システム１における広告制御処理の動作について説明する。図１１及び図１２は、本実施形態による広告制御処理の一例を示すフローチャートである。図１１は、送客元側に関連する処理を示している。また、図１２は、送客先側に関連する処理を示している。ここでは、図１に示すように、アプリＡ１が送客元アプリとなって、アプリＡ１からアプリＢ１（送客先アプリ）へ送客が行われる場合を例として説明する。なお、以下の説明において、アプリＡ１に組み込まれているＳＤＫの機能構成による処理を、単に、アプリＡ１の機能構成による処理として記載する。同様に、アプリＢ１に組み込まれているＳＤＫの機能構成による処理を、単に、アプリＢ１の機能構成による処理として記載する。
【０１４２】
まず、図１１を参照して、ユーザ端末１０にインストールされているアプリＡ１に関連する処理（送客元側の処理）について説明する。
アプリＡ１がユーザ端末１０にインストールされて起動した場合、アプリＡ１の初期化処理部１１０は、初期化処理を開始する。まず、初期化処理部１１０は、初期化済みであるか否かを判定する（ステップＳ１００）。初期化済みであると判定された場合（ステップＳ１００：ＹＥＳ）、初期化処理部１１０は、その後の初期化処理を実行しないで終了し、ステップＳ１１０に処理を進める。
【０１４３】
一方、初期化済みでないと判定された場合（ステップＳ１００：ＮＯ）、アプリＡ１の識別情報取得部１１１は、端末記憶部１４のアプリ間共有エリアを参照して、広告システム１においてユーザ端末１０を一意に識別可能な情報を示す識別ＩＤが取得済みであるか否かを判定する（ステップＳ１０２）。
【０１４４】
識別ＩＤが取得済みであると判定された場合（ステップＳ１０２：ＹＥＳ）、識別情報取得部１１１は、端末記憶部１４から識別ＩＤを読み出し、ステップＳ１０６に処理を進める。
【０１４５】
一方、識別ＩＤが取得済みでないと判定された場合（ステップＳ１０２：ＮＯ）、識別情報取得部１１１は、ユーザ端末１０に対応する識別ＩＤを生成し、生成した識別ＩＤを、端末記憶部１４のアプリ間共有エリアに記憶させる（ステップＳ１０４）。
【０１４６】
次に、アプリＡ１のインストール通知部１１２は、アプリＡ１がユーザ端末１０にインストールされたことを示すインストール通知情報を、管理サーバ５０に対して送信する（ステップＳ１０６）。ここでインストール通知情報には、例えば、このユーザ端末１０に対応する識別ＩＤと、アプリＡ１のアプリＩＤと、アプリＡ１におけるアプリユーザＩＤとが含まれる。
【０１４７】
次に、管理サーバ５０のインストール通知取得部５３１は、ユーザ端末１０で実行されている送客元アプリ（アプリＡ１）から送信されたインストール通知情報を取得すると、インストール通知情報を取得したことを示す応答情報（通知結果）を、ユーザ端末１０で実行されている送客元アプリ（アプリＡ１）に対して送信する。また、インストール通知取得部５３１は、取得したインストール通知情報に含まれる、ユーザ端末１０に対応する識別ＩＤと、アプリＡ１のアプリＩＤと、アプリＡ１におけるアプリユーザＩＤとを関連付けたインストール管理情報を、インストール情報記憶部５２３に記憶させる。また、インストール通知取得部５３１は、取得したインストール通知情報を送客評価部５４０に引き渡す（ステップＳ５００）。
【０１４８】
続いて、送客評価部５４０は、インストール通知取得部５３１からアプリＡ１のインストール通知情報を受け取ると、アプリＡ１に対応する送客管理情報（ユーザ端末１０に対応する識別ＩＤ及びアプリＡ１のアプリＩＤを含む送客管理情報）が送客情報記憶部５２４に記憶されているか否かを判定する（ステップＳ５０２）。
【０１４９】
アプリＡ１に対応する送客管理情報が記憶されていると判定された場合（ステップＳ５０２：ＹＥＳ）、送客評価部５４０は、アプリＡ１が他のアプリケーションから送客された送客先アプリであるものとして、送客評価値を更新する（ステップＳ５０４）。なお、送客先アプリのインストール通知情報を取得した場合に送客評価値を更新する処理は、図１２の送客先側に関連する処理を参照して後述する。
【０１５０】
ここでは、アプリＡ１は送客先アプリではない、即ち、アプリＡ１に対応する送客管理情報が送客情報記憶部５２４に記憶されていないものとして説明する。アプリＡ１に対応する送客管理情報が記憶されていないと判定された場合（ステップＳ５０２：ＮＯ）、アプリＡ１が送客先アプリでないため、送客評価部５４０は、送客評価値を更新しない。なお、アプリＡ１に対応する送客管理情報が送客情報記憶部５２４に記憶されていない場合とは、例えば、広告システム１による広告を介さずにアプリＡ１がインストールされたことを示す。また、アプリＡ１が送客先アプリであってもよい。つまり、アプリＡ１は他のアプリケーションから送客された送客先アプリにもなるし、他のアプリケーションへ送客する送客元アプリにもなれることを意味する。即ち、アプリケーション間で相互に送客を行うことができることになる。
【０１５１】
ユーザ端末１０の送客元アプリ（アプリＡ１）の初期化処理部１１０は、ステップＳ５００において管理サーバ５０が送信した応答情報（通知結果）を取得すると、初期化済みを示すフラグを設定して初期化処理を終了する（ステップＳ１０８）。
【０１５２】
次に、ユーザ端末１０において動作しているアプリＡ１に対してユーザが、リワード広告を表示させるための操作を行ったとする。アプリＡ１の広告要求部１２０は、このリワード広告を表示させるための操作がされたことに応じて、リワード広告を要求する広告要求情報を管理サーバ５０に対して送信する（ステップＳ１１０）。この広告要求情報には、送客元アプリのアプリＩＤと、このユーザ端末１０に対応する識別ＩＤとが含まれる。
【０１５３】
管理サーバ５０の広告要求取得部５５１は、ユーザ端末１０で実行されている送客元アプリから送信された広告要求情報を取得すると、取得した広告要求情報を広告情報決定部５５２に引き渡す。広告情報決定部５５２は、広告要求取得部５５１から広告要求情報を受け取ると、送客評価値記憶部５２６に記憶されている送客評価値テーブルＴＢＬ５２６を参照して、グループＡ〜Ｅをグループ送客評価値の大きい順に順位付けして選択する（ステップＳ５０６）。
【０１５４】
次に、管理サーバ５０の広告情報決定部５５２は、グループＡ〜Ｅのそれぞれにおいてリワード広告として表示させるアプリケーションを、各グループに属するアプリケーションのうちから決定する。例えば、広告情報決定部５５２は、グループＡにおいてリワード広告として表示させるアプリケーションを、ユーザ端末１０に導入済みのアプリＡ１を除いた残りのアプリケーションうち最も個別送客評価値の大きいアプリＡ２に決定する。また、広告情報決定部５５２は、グループＢ、グループＣ、グループＤ、及びグループＥのそれぞれにおいてリワード広告として表示させるアプリケーションを、各グループ内で個別送客評価値の最も大きいアプリＢ１、アプリＣ３、アプリＤ１、及びアプリＥ１にそれぞれ決定する。次に、広告情報決定部５５２は、各グループにおいて決定したアプリケーションの広告を、順位付けしたグループの順に従って並べたアプリ一覧ページを生成する（ステップＳ５０８）。例えば、広告情報決定部５５２は、上側（先頭）から下側に向かってアプリＡ２、アプリＢ１、アプリＣ３、アプリＤ１、アプリＥ１の順に並べたアプリ一覧ページを生成する（図３参照）。
【０１５５】
次に、管理サーバ５０の広告通知部５５３は、広告情報決定部５５２が生成したアプリ一覧ページをユーザ端末１０に対して送信する（ステップＳ５１０）。
【０１５６】
なお、広告情報決定部５５２は、各グループにおいて、リワード広告の対象となるアプリケーションが存在しなかった場合には、そのグループの広告を表示させないようにする。例えば、広告情報決定部５５２は、アプリ一覧ページにおいて最も上に表示させるように決定したグループＡであっても、グループＡに属するアプリケーションの全てがユーザ端末１０に導入済みである場合にはグループＡの広告を表示させないようにする。この場合、広告情報決定部５５２は、次に上側に表示されるグループＢの広告を、アプリ一覧ページにおいて最も上に表示させるようにする。さらに、広告情報決定部５５２は、全てのグループのそれぞれのアプリケーションの全てがユーザ端末１０に導入済みである場合には、リワード広告の対象となるアプリケーションが存在しない旨が表示されるアプリ一覧ページを生成する。即ち、リワード広告の対象となるアプリケーションの全てがユーザ端末１０に導入済みである場合には、リワード広告の対象となるアプリケーションが存在しない。なお、導入済みのアプリケーションの広告を送客先アプリの対象となるアプリケーションの広告と区別可能にアプリ一覧ページに表示されるようにしてもよい。
【０１５７】
ユーザ端末１０のアプリＡ１の広告取得部１３０は、管理サーバ５０から送信されたアプリ一覧ページを取得して表示制御部１４０に引き渡す。表示制御部１４０は、広告取得部１３０が取得したアプリ一覧ページを表示部１２に表示させる（図３参照）。例えば、表示制御部１４０は、それまで表示部１２に表示させていたアプリＡ１の利用画面にアプリ一覧ページを重ねて表示させる（ステップＳ１１２）。このように、ユーザ端末１０においてアプリＡ１の利用（リワード広告を表示させるための操作）に起因して、リワード広告としてアプリ一覧ページが表示される。
【０１５８】
次に、ユーザの操作によって、アプリ一覧ページに掲載されているアプリＢ１の広告が選択されたとする。アプリＢ１の広告が選択されると、アプリＡ１の送客情報通知部１５０は、選択されたアプリＢ１（即ち、送客先アプリ）へアプリＡ１（即ち、送客元アプリ）から送客されることを示す送客情報を管理サーバ５０に対して送信する。この送客情報には、例えば、アプリＡ１（送客元アプリ）のアプリＩＤ、アプリＢ１（送客先アプリ）のアプリＩＤ、及びこのユーザ端末１０に対応する識別ＩＤが含まれる（ステップＳ１１４）。
なお、アプリＡ１の表示制御部１４０は、アプリＢ１の広告が選択されると、ステップＳ１１２において表示部１２に表示させたアプリ一覧ページを閉じて、アプリＡ１の画面に戻す。
【０１５９】
管理サーバ５０の送客情報取得部５３２は、ユーザ端末１０で実行されている送客元アプリ（アプリＡ１）から送信された送客情報を取得すると、取得した送客情報を送客評価部５４０に引き渡す（ステップＳ５１２）。送客評価部５４０は、送客情報を受け取ったことに基づいて、「成果達成条件（１）：アプリ一覧ページにおいて送客先アプリの広告を選択」が充足されたと判定し、送客評価値を更新する（ステップＳ５１４）。
【０１６０】
具体的には、個別評価部５４１は、送客情報を受け取った場合、送客情報記憶部５２４に記憶されている送客管理情報を参照して、受け取った送客情報と同一の送客元アプリ（アプリＡ１）から送客先アプリ（アプリＢ１）への送客情報を同一のユーザ端末１０から取得済みであるか否かを判定する。そして、個別評価部５４１は、上記同一の送客情報を受け取り済みであると判定した場合、アプリＡ１（送客元アプリ）に対する個別送客評価値ＰＡ１を増加（例えば、＋１）させる。例えば、個別評価部５４１は、送客評価値テーブルＴＢＬ５２６に格納されているアプリＡ１（送客元アプリ）に対する個別送客評価値ＰＡ１を、増加（例えば、＋１）させた値に更新する。なお、個別評価部５４１は、送客評価値テーブルＴＢＬ５２６に格納されているアプリＢ１（送客先アプリ）に対する個別送客評価値ＰＢ１を、減少（例えば、−１）させた値に更新してもよい。即ち、個別評価部５４１は、送客評価値テーブルＴＢＬ５２６に格納されている送客元アプリ又は送客先アプリの個別送客評価値を更新してもよい。
【０１６１】
次に、グループ評価部５４２は、グループＡに属するアプリＡ１の個別送客評価値ＰＡ１、アプリＡ２の個別送客評価値ＰＡ２、及びアプリＡ３の個別送客評価値ＰＡ３に基づいて、グループＡのグループ送客評価値ＰＡを更新（例えば、個別送客評価値ＰＡ１、ＰＡ２、ＰＡ３の合計値に更新）する。また、アプリＡ１（送客元アプリ）に対する個別送客評価値ＰＡ１とともに、個別送客評価値ＰＢ１が更新されてもよく、その場合には、アプリＢ１のグループ評価部５４２は、グループＢに属するアプリＢ１の個別送客評価値ＰＢ１、アプリＢ２の個別送客評価値ＰＢ２、及びアプリＢ３の個別送客評価値ＰＢ３に基づいて、グループＢのグループ送客評価値ＰＢを更新（例えば、個別送客評価値ＰＢ１、ＰＢ２、ＰＢ３の合計値に更新）する。
【０１６２】
また、個別評価部５４１は、受け取った送客情報に基づく送客管理情報を送客情報記憶部５２４に記憶させる。
【０１６３】
続いて、管理サーバ５０のストア情報通知部５６０は、ユーザ端末１０において選択されたアプリＢ１をダウンロード可能なストアページをユーザ端末１０に送信する。具体的には、ストア情報通知部５６０は、送客情報取得部５３２が送客情報を取得したことに基づいて、アプリケーション情報テーブルＴＢＬ５２１を参照して、送客情報に含まれるアプリＢ１（送客先アプリ）のアプリＩＤに関連付けられているストアＵＲＬのストアページをユーザ端末１０に送信する（ステップＳ５１６）。
【０１６４】
ユーザ端末１０のアプリＡ１の表示制御部１４０は、管理サーバ５０からストアページを取得すると、ストアページを表示させるアプリケーションを起動して、取得したストアページを表示部１２に表示させる（ステップＳ１１６）。例えば、表示制御部１４０は、それまで表示部１２に表示させていたアプリＡ１（送客元アプリ）の利用画面にストアページを重ねて表示させる。
【０１６５】
このストアページから、ユーザの操作によりアプリＢ１（送客先アプリ）がユーザ端末１０にダウンロードされてインストールされた後、引き続きユーザの操作によりインストールされたアプリＢ１（送客先アプリ）が起動する。
【０１６６】
次に、図１２を参照して、ユーザ端末１０にインストールされたアプリＢ１（送客先アプリ）が起動した後のアプリＢ１に関連する処理（送客先側の処理）について説明する。
なお、ユーザ端末１０にインストールされたアプリＢ１（送客先アプリ）が起動した場合には、図１１を参照して説明した、アプリＡ１（送客元アプリ）が起動した場合の初期化処理と同様の処理が行なわれる。
【０１６７】
即ち、図１２に示すステップＳ１５０、Ｓ１５２、Ｓ１５４、Ｓ１５６、Ｓ１５８においてアプリＢ１が行う各処理は、図１１に示すＳ１００、Ｓ１０２、Ｓ１０４、Ｓ１０６、Ｓ１０８においてアプリＡ１が行う各処理と同様の処理であり、その説明を省略する。
ここで、アプリＢ１の起動であるため、ステップＳ１５６においてアプリＢ１のインストール通知部１１２が送信するインストール通知情報には、例えば、このユーザ端末１０に対応する識別ＩＤと、アプリＢ１のアプリＩＤと、アプリＢ１におけるアプリユーザＩＤとが含まれる。
【０１６８】
また、図１２に示すステップＳ５５０、Ｓ５５２、Ｓ５５４において管理サーバ５０が実行する各処理は、図１１に示すステップＳ５００、Ｓ５０２、Ｓ５０４において管理サーバ５０が実行する各処理と同様である。管理サーバ５０のインストール通知取得部５３１は、ユーザ端末１０で実行されている送客先アプリ（アプリＢ１）から送信されたインストール通知情報を取得すると、インストール通知情報を取得したことを示す応答情報（通知結果）を、ユーザ端末１０で実行されている送客先アプリ（アプリＢ１）に対して送信する。また、インストール通知取得部５３１は、取得したインストール通知情報に含まれるユーザ端末１０に対応する識別ＩＤと、アプリＢ１のアプリＩＤと、アプリＢ１におけるアプリユーザＩＤとを関連付けたインストール管理情報を、インストール情報記憶部５２３に記憶させる。また、インストール通知取得部５３１は、取得したインストール通知情報を送客評価部５４０に引き渡す（ステップＳ５５０）。
【０１６９】
続いて、送客評価部５４０は、インストール通知取得部５３１からアプリＢ１のインストール通知情報を受け取ると、アプリＢ１に対応する送客管理情報（このユーザ端末１０に対応する識別ＩＤ及びアプリＢ１のアプリＩＤを含む送客管理情報）が送客情報記憶部５２４に記憶されているか否かを判定する（ステップＳ５５２）。
【０１７０】
ここで、アプリＢ１が送客先アプリであるため、ステップＳ５５２においてアプリＢ１に対応する送客管理情報が記憶されていると判定される（ＹＥＳ）。この場合、送客評価部５４０は、「成果達成条件（２）：送客先アプリの導入」が充足されたと判定し、送客評価値を更新する（ステップＳ５５４）。
【０１７１】
例えば、送客評価部５４０は、アプリＢ１にユーザを送客したアプリＡ１（送客元アプリ）の個別送客評価値ＰＡ１と、アプリＡ１が属するグループＡ（アプリＡ１の提供元であるＡ社）のグループ送客評価値ＰＡとを更新する。具体的には、個別評価部５４１は、送客評価値テーブルＴＢＬ５２６に格納されているアプリＡ１の個別送客評価値ＰＡ１を更新（例えば、＋１）する。なお、個別評価部５４１は、送客評価値テーブルＴＢＬ５２６に格納されているアプリＢ１（送客先アプリ）に対する個別送客評価値ＰＢ１を、減少（例えば、−１）させた値に更新してもよい。
【０１７２】
次に、グループ評価部５４２は、グループＡに属するアプリＡ１の個別送客評価値ＰＡ１、アプリＡ２の個別送客評価値ＰＡ２、及びアプリＡ３の個別送客評価値ＰＡ３に基づいて、グループＡのグループ送客評価値ＰＡを更新（例えば、個別送客評価値ＰＡ１、ＰＡ２、ＰＡ３の合計値に更新）する。また、アプリＢ１の個別送客評価値ＰＢ１が更新されてもよく、その場合には、グループ評価部５４２は、グループＢに属するアプリＢ１の個別送客評価値ＰＢ１、アプリＢ２の個別送客評価値ＰＢ２、及びアプリＢ３の個別送客評価値ＰＢ３に基づいて、グループＢのグループ送客評価値ＰＢを更新（例えば、個別送客評価値ＰＢ１、ＰＢ２、ＰＢ３の合計値に更新）する。
【０１７３】
また、リワード処理部５７０は、アプリＡ１（送客元アプリ）からアプリＢ１（送客先アプリ）への送客が行われてアプリＢ１がユーザ端末１０に導入されたことに基づいて、ユーザ端末１０を利用するユーザにアプリＡ１（送客元アプリ）における報酬が付与されるリワード処理を実行する。具体的には、リワード処理部５７０は、アプリＡ１（送客元アプリ）に対応するアプリサーバ３０に対して、報酬付与条件が充足されたことを示す報酬付与情報を送信する（ステップＳ５５６）。この報酬付与情報には、例えば、アプリＡ１において報酬が付与されるユーザを特定可能なように、アプリＡ１におけるアプリユーザＩＤが含まれる。
【０１７４】
アプリサーバ３０は、管理サーバ５０から報酬付与情報を取得すると（ステップＳ３００）、取得した報酬付与情報に含まれるアプリユーザＩＤが示すユーザに対して、予め設定された報酬を付与する（ステップＳ３０２）。
【０１７５】
続いて、アプリＢ１の継続利用により成果地点に到達した場合に、送客評価値を更新する処理の動作を説明する。
ユーザ端末１０において、ユーザがアプリＢ１（送客先アプリ２０）を起動した後、継続して利用することにより、アプリＢ１は、所定の処理（例えば、ゲームの処理）を進める（ステップＳ１６０）。そして、アプリＢ１は、ユーザがアプリＢ１を利用することにより、予め設定された成果地点（例えば、ゲームであればチュートリアルの終了やレベル「３０」の達成等）に到達したか否かを判定する（ステップＳ１６２）。なお、このステップＳ１６０及びステップＳ１６２の処理は、アプリＢ１に組み込まれたＳＤＫが実行する処理ではなくアプリＢ１自身が実行する処理である。
【０１７６】
アプリＢ１（送客先アプリ２０）の継続利用に応じて、予め設定された成果地点に到達したと判定された場合（ステップＳ１６２：ＹＥＳ）、アプリＢ１の成果地点到達情報通知部１６０は、成果地点に到達したことを示す成果地点到達情報を、管理サーバ５０に対して送信する。例えば、成果地点到達情報には、ユーザ端末１０に対応する識別ＩＤと、アプリＢ１のアプリＩＤと、到達した成果地点を示す成果地点ＩＤと、その成果地点に到達したことを示す到達情報とが含まれる（ステップＳ１６４）。
【０１７７】
一方、予め設定された成果地点に到達したと判定されない場合（ステップＳ１６２：ＮＯ）には、アプリＢ１は、引き続きユーザの利用に応じて所定の処理（例えば、ゲームの処理）を進める（ステップＳ１６０）。
【０１７８】
管理サーバ５０の成果地点到達情報取得部５３３は、ユーザ端末１０で実行されている送客先アプリ（アプリＢ１）から送信された成果地点到達情報を取得すると、取得した成果地点到達情報に基づく成果地点到達管理情報を成果地点到達情報記憶部５２５に記憶させる。また、成果地点到達情報取得部５３３は、取得した成果地点到達情報を送客評価部５４０に引き渡す（ステップＳ５５８）。
【０１７９】
送客評価部５４０は、成果地点到達情報取得部５３３からアプリＢ１の成果地点到達情報を受け取ると、アプリＢ１に対応する送客管理情報（このユーザ端末１０に対応する識別ＩＤ及びアプリＢ１のアプリＩＤを含む送客管理情報）が送客情報記憶部５２４に記憶されているか否かを判定する（ステップＳ５６０）。
【０１８０】
ここで、アプリＢ１が送客先アプリであるため、ステップＳ５５２においてアプリＢ１に対応する送客管理情報が記憶されていると判定される（ＹＥＳ）。この場合、送客評価部５４０は、「成果達成条件（３）：送客先アプリの継続利用」が充足されたと判定し、送客評価値を更新する（ステップＳ５６２）。
【０１８１】
例えば、送客評価部５４０は、アプリＢ１にユーザを送客したアプリＡ１（送客元アプリ）の個別送客評価値ＰＡ１と、アプリＡ１が属するグループＡ（アプリＡ１の提供元であるＡ社）のグループ送客評価値ＰＡとを更新する。具体的には、個別評価部５４１は、送客評価値テーブルＴＢＬ５２６に格納されているアプリＡ１の個別送客評価値ＰＡ１を更新（例えば、＋２）する。
【０１８２】
次に、グループ評価部５４２は、グループＡに属するアプリＡ１の個別送客評価値ＰＡ１、アプリＡ２の個別送客評価値ＰＡ２、及びアプリＡ３の個別送客評価値ＰＡ３に基づいて、グループＡのグループ送客評価値ＰＡを更新（例えば、個別送客評価値ＰＡ１、ＰＡ２、ＰＡ３の合計値に更新）する。
【０１８３】
また、リワード処理部５７０は、アプリＡ１（送客元アプリ）からアプリＢ１（送客先アプリ）への送客が行われ、ユーザ端末１０に導入されたアプリＢ１が継続利用されたことに基づいて、ユーザ端末１０を利用するユーザにアプリＡ１（送客元アプリ）における報酬が付与されるリワード処理を実行する。具体的には、リワード処理部５７０は、アプリＡ１（送客元アプリ）に対応するアプリサーバ３０に対して、報酬付与条件が充足されたことを示す報酬付与情報を送信する（ステップＳ５６４）。この報酬付与情報には、例えば、アプリＡ１において報酬が付与されるユーザを特定可能なように、アプリＡ１におけるアプリユーザＩＤが含まれる。
【０１８４】
アプリサーバ３０は、管理サーバ５０から報酬付与情報を取得すると（ステップＳ３０４）、取得した報酬付与情報に含まれるアプリユーザＩＤが示すユーザに対して、予め設定された報酬を付与する（ステップＳ３０６）。
【０１８５】
このように、本実施形態による広告制御処理では、管理サーバ５０は、ユーザ端末１０で実行されている送客元アプリから送客情報を取得したこと（図１１のステップＳ５１２）、即ち、アプリ一覧ページにおいて送客先アプリの広告が選択されたこと（成果達成条件（１））に基づいて、グループごとのグループ送客評価値を更新する。また、管理サーバ５０は、ユーザ端末１０で実行されている送客先アプリから送客先アプリのインストール通知情報を取得したこと（図１２のステップＳ５５０）、即ち、ユーザ端末１０に送客先アプリが導入されたこと（成果達成条件（２））に基づいて、グループごとのグループ送客評価値を更新する。さらに、管理サーバ５０は、ユーザ端末１０で実行されている送客先アプリから送客先アプリの成果地点到達情報を取得したこと（図１２のステップＳ５５８）、即ち、ユーザ端末１０において送客先アプリが継続利用されたこと（成果達成条件（３））に基づいて、グループごとのグループ送客評価値を更新する。なお、送客先アプリにおける課金利用を送客先アプリの成果地点とし、管理サーバ５０は、送客先アプリにおいて課金利用があったこと（成果達成条件（４））に基づいて、グループごとのグループ送客評価値を更新してもよい。そして、管理サーバ５０は、ユーザ端末１０で実行されている送客元アプリから広告要求情報を取得すると、グループ送客評価値の大きいグループに属するアプリケーションの広告表示を優先したアプリ一覧ページを生成して、ユーザ端末１０に送信する（図１１のステップＳ５０６、Ｓ５０８、Ｓ５１０）。なお、本実施形態では、複数の成果達成条件に基づいてグループごとのグループ送客評価値を更新したが、いずれか一つの成果達成条件だけを採用してもよい。
【０１８６】
〔６．第１の実施形態のまとめ〕
（１）以上説明してきたように、本実施形態による広告システム１において、管理サーバ５０（管理装置の一例）は、管理部５１０と、グループ評価部５４２と、広告情報決定部５５２（決定部の一例）と、を備えている。管理部５１０は、複数のグループのそれぞれに属する一又は複数のアプリケーションのそれぞれに関連付けられた広告情報（アプリケーション情報の一例）を、アプリケーション情報記憶部５２１に記憶させて管理する。
ここで、一又は複数のアプリケーションのそれぞれは、ユーザ端末１０で実行可能なものである。例えば、オンラインストアからユーザ端末１０にダウンロードされた後に、インストールされてユーザ端末１０で実行可能になる。グループ評価部５４２は、ユーザ端末１０（端末装置の一例）における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリが属するグループを評価する。ここで、所定の成果達成条件は、例えば、前述した成果達成条件（１）〜（４）である。成果達成条件（１）は、送客先アプリに関連付けられた広告情報に基づく所定の成果が達成されたことの一例である。また、成果達成条件（２）〜（４）は、広告情報に関連付けられた送客先アプリに基づく所定の成果が達成されたことの一例である。広告情報決定部５５２は、グループ評価部５４２が評価した評価結果に基づいて複数のグループのうちのいずれかのグループを選択する。そして、広告情報決定部５５２Ｂは、選択したグループに属するいずれかのアプリケーションに関連付けられた広告情報を、ユーザ端末１０に表示される送客先アプリに関連付けられた広告情報として決定する。
【０１８７】
このように、管理サーバ５０は、アプリケーション間で行われる送客（例えば、送客数）をグループ単位で評価することにより広告を決定するため、グループ単位の評価結果に応じて広告表示を制御することができる。例えば、管理サーバ５０は、送客に多く貢献しているグループで送客数の多いアプリケーションがユーザ端末１０に導入済みであっても、その同じグループに属する他のアプリケーションの広告がユーザ端末１０に表示されるようにすることができる。よって、アプリケーションの提供元単位でグループを構成した広告システム１において、アプリケーション間で送客を行う場合に、グループ送客評価値に基づいて、同一のグループに属するアプリケーションの中からアプリ一覧に表示させるアプリケーションを選択可能になる。例えば、同一のグループに属するアプリケーションの中からユーザ端末１０に既に導入済みであるアプリケーションを除外した残りのアプリケーションのうちからアプリケーションを選択可能になる。したがって、本実施形態によれば、送客に多く貢献しているアプリケーションの提供元にとって効果的な広告の表示ができないことを軽減することができる。即ち、本実施形態によれば、アプリケーション間で送客を行う場合にアプリケーションを提供している提供元にとって送客に結びつく効果的な広告の表示を行うことが可能となる。
【０１８８】
なお、本実施形態では、アプリケーションの提供元単位でグループが構成された例を説明したが、グループを構成する単位は、アプリケーションの提供元（会社）に限られるものではない。例えば、組織単位（例えば、音楽ゲーム部門、カードゲーム部門等の部門単位）、又はアプリケーションのジャンル単位（例えば、ビジネスアプリ及びゲームアプリ等といったジャンルで区分される単位、又は野球ゲーム及びサッカーゲーム等といったジャンルで区分される単位）でグループが構成されてもよい。
【０１８９】
ここで、広告情報（アプリケーション情報の一例）とは、上述したアプリ一覧ページにリワード広告として表示させるアプリケーションの広告に関連する情報（広告表示の元となる情報）である。例えば、広告情報は、アプリケーション情報テーブルＴＢＬ５２１に格納されている、各アプリケーションのアプリ名称、アプリ説明、アプリアイコン画像ＵＲＬ（又はリンク先のアイコン画像）等の情報である。つまり、この各アプリケーションの広告情報に基づいて各アプリケーションの広告が生成される。
【０１９０】
なお、上記実施形態では、アプリ一覧ページに表示されるリスト型のリワード広告を例に説明したが、バナー型、アイコン型、又はポップアップ型のリワード広告であってもよい。その場合、広告情報は、バナー型広告又はバナー型広告のリンク先を示すＵＲＬ、アイコン画像又はアイコン画像のリンク先を示すＵＲＬ、又はポップアップ画面に表示されるアプリ名称、アプリ説明、アプリアイコン画像ＵＲＬ（又はリンク先のアイコン画像）等の情報である。また、例えば、リスト型及びポップアップ型のリワード広告は、送客元アプリの利用画面に重ねて表示されるが、バナー型又はアイコン型のリワード広告の場合には、送客元アプリの利用画面内にバナー型広告又はアイコン型広告が表示される。
【０１９１】
また、送客元アプリの利用とは、例えば「送客元アプリの起動」、「送客元アプリによる処理の実行」、及び「送客元アプリにおけるユーザの操作」の少なくとも１つのことをいう。送客元アプリによる処理の実行とは、送客元アプリの全て或いは部分的な処理の実行を含む。例えば、送客元アプリによる処理の実行とは、送客元アプリによる各種の処理（例えば、ゲームの進行に応じた処理）又は送客元アプリに組み込まれたＳＤＫによる処理の実行のことをいう。また、送客元アプリにおけるユーザの操作とは、利用中（実行中）の送客元アプリにおいて行われるユーザの所定の操作である。この所定の操作とは、例えば、送客元アプリの利用画面に表示されたアイコン（広告を表示させるための操作子としてのアイコン）に対するユーザのクリック操作又はタップ操作等である。
【０１９２】
また、送客元アプリの利用を少なくとも含む要因に起因して表示されるとは、送客元アプリの利用のみに起因して表示される場合と、送客元アプリの利用だけでなく、さらに所定の条件が充足したことに起因して表示される場合との両方を含む。送客元アプリの利用のみに起因してリワード広告（アプリ一覧）が表示される一例として、送客元アプリが利用されたことに応じて無条件でリワード広告（アプリ一覧）が表示されることがあげられる。無条件で表示されるタイミングの一例として、送客元アプリを起動した直後、送客元アプリを終了する直前、送客元アプリの利用中の任意のタイミングなどがあげられる。また、送客元アプリの利用のみに起因してリワード広告（アプリ一覧）が表示される他の例として、利用中（実行中）の送客元アプリにおいてユーザが所定の操作をした場合にリワード広告（アプリ一覧）が表示されることがあげられる。一方、送客元アプリの利用だけでなく、さらに所定の条件が充足したことに起因してリワード広告（アプリ一覧）表示される一例として、送客元アプリを利用しても、さらに所定の条件が充足しないとリワード広告（アプリ一覧）が表示されないことがあげられる。所定の条件の一例として、管理サーバ５０が表示すると判定した場合などがあげられる。管理サーバ５０が判断する一例として、リワード広告（アプリ一覧）を表示する特定の期間であるか否かを判断する方法や、所定の期間（例えば、１日）内にリワード広告（アプリ一覧）を表示する回数に達しているか否かを判断する方法があげられる。なお、上記の例示に限られるものではない。
【０１９３】
また、送客元アプリの利用を少なくとも含む要因に起因して表示されるリワード広告は、送客元アプリの利用画面、又は送客元アプリの利用画面とは異なる画面に表示される。
送客元アプリの利用画面にリワード広告が表示されるとは、送客元アプリのコンテンツとリワード広告とが一つの利用画面として表示されることである。一方、送客元アプリの利用画面とは異なる画面に表示されるとは、送客元アプリの利用画面とは異なる広告画面（アプリ一覧ページ）が新たに表示され、その広告画面にリワード広告が表示される。この場合、送客元アプリの利用画面に対して広告画面を重ねて表示されるようにしてもよい。
このとき、広告画面を閉じると送客元アプリの利用画面が現われるようにしてもよい。
【０１９４】
（２）広告情報決定部５５２（決定部の一例）は、グループ評価部５４２が評価した評価結果に基づいて複数のグループのうちの一部又は全部を順位を付けて選択し、選択したグループのそれぞれに属するアプリケーションに関連付けられた広告情報（アプリケーション情報の一例）を、当該順位に応じてユーザ端末１０に表示される送客先アプリ（第２のアプリケーションの一例）に関連付けられた広告情報として決定する。
【０１９５】
このように、本実施形態による管理サーバ５０は、グループ単位で送客結果（例えば、送客数）を評価し、評価結果に応じてアプリ一覧ページに表示される広告の順番を決めるため、送客に多く貢献しているグループのアプリケーションの広告を優先してユーザ端末１０に表示されるようにすることができる。
【０１９６】
例えば、上述したように、リスト型の広告が表示されるアプリ一覧ページでは、最も送客に多く貢献しているグループのアプリケーションの広告を優先してリストの一番上（先頭）に表示することで、目立たせることができる。なお、広告が目立つように表示させる方法としては、リスト型の広告ではリストの一番上に表示させる方法があるがこれに限られるものではない。例えば、バナー型又はアイコン型の広告では、最も送客に多く貢献しているグループのアプリケーションの広告を優先して表示する方法として、最も大きく表示させる、最も長い時間表示させる、最も多くの回数で表示させるなどがあげられる。また、最も送客に多く貢献しているグループのアプリケーションの広告を優先して表示する方法として、その広告のみを表示させてもよい。
【０１９７】
（３）管理サーバ５０は、個別評価部５４１を備えてもよい。個別評価部５４１は、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリを評価する。グループ評価部５４２は、送客元アプリが属するグループを、個別評価部５４１が評価した当該グループに属するアプリケーションの評価結果に基づいて評価する。
【０１９８】
このように、本実施形態による管理サーバ５０は、アプリケーションごとの送客（例えば、送客数）の評価結果に基づいて当該アプリケーションが属するグループを評価する。
これにより、管理サーバ５０は、グループに属するアプリケーションの送客への貢献度合いに応じて、送客に多く貢献しているグループの広告表示を優先させることができる。
【０１９９】
（４）個別評価部５４１は、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリに対する個別送客評価値（評価値の一例）を更新する。
【０２００】
このように、本実施形態による管理サーバ５０は、アプリケーションごとの送客（例えば、送客数）の評価結果を個別送客評価値として、送客結果に応じて更新するため、各アプリケーションの送客の貢献度合いを管理することができる。
【０２０１】
（５）グループ評価部５４２は、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリが属するグループに対するグループ送客評価値（評価値の一例）を更新する。
【０２０２】
具体的には、グループ評価部５４２は、グループに属するアプリケーションの個別送客評価値に基づいて、当該グループのグループ送客評価値を更新する。これにより、本実施形態による管理サーバ５０は、グループ単位で送客の貢献度合いを管理することができる。
【０２０３】
（６）管理サーバ５０は、成果達成情報取得部５３０（取得部の一例）を備えてもよい。成果達成情報取得部５３０は、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことを示す成果達成情報をユーザ端末１０から取得する。この成果達成情報とは、例えば、送客情報、インストール通知情報、又は成果地点到達情報であり、これらの情報は、送客先アプリに関連付けられた情報である。個別評価部５４１は、成果達成情報取得部５３０が取得した上記送客先アプリに関連付けられた成果達成情報に基づいて、当該送客先アプリに関連付けられた広告情報が表示される起因となった送客元アプリを評価する。
【０２０４】
このように、本実施形態による管理サーバ５０は、ユーザ端末１０から送信された送客情報、インストール通知情報、又は成果地点到達情報を取得したことに基づいて送客元アプリを評価する。よって、管理サーバ５０は、アプリ一覧ページにおいて送客先アプリの広告を選択（成果達成条件（１））、送客先アプリの導入（成果達成条件（２））、送客先アプリの継続利用（成果達成条件（３））、送客先アプリにおける課金利用（成果達成条件（４））、等のいずれか一つ又は複数の成果達成条件に基づいて、送客元アプリの送客の貢献度合いを評価することができる。
【０２０５】
（７）個別評価部５４１は、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリを評価するとともに、当該所定の成果が達成された送客先アプリを評価する。
【０２０６】
これにより、本実施形態による管理サーバ５０は、例えば、送客する側のアプリケーションを加点評価し、送客された側のアプリケーションを減点評価することができるため、アプリケーションごとの送客した度合い（例えば、送客した数）と送客された度合い（例えば、送客された数）との差を評価することができる。また、管理サーバ５０は、アプリケーションごとの評価結果に基づいてグループを評価するため、グループ単位で送客した度合いと送客された度合いとの差に応じて、広告表示を制御することができる。具体的には、管理サーバ５０は、送客した数が多く、且つ送客された数が少ないグループの広告程、優先して表示されるようにすることができる。一方、管理サーバ５０は、送客した数が少なく、且つ送客された数が多いグループの広告程、表示を優先しないようにすることができる。また、管理サーバ５０は、送客した数が多くても送客された数も同様に多ければ、送客する側と送客される側のバランスがとれているため、そのグループの広告表示を優先しないようにすることができる。
【０２０７】
（８）個別評価部５４１は、送客先アプリ（第２のアプリケーションの一例）において達成済みの成果とは異なる成果が達成されたことに基づいて、当該送客先アプリに関連付けられた広告情報（アプリケーション情報の一例）が表示される起因となった送客元アプリ（第１のアプリケーションの一例）を評価する。
【０２０８】
これにより、本実施形態による管理サーバ５０は、送客先アプリにおいて既に成果が達成されていても、さらに異なる成果が達成された場合に、送客元アプリに対してより高い評価とすることができる。例えば、管理サーバ５０は、ユーザ端末１０に送客先アプリが導入された場合（成果達成条件（２））、送客元アプリの個別送客評価値を「＋１」し、さらに、ユーザ端末１０において送客先アプリが継続利用された場合（成果達成条件（３））、又は、送客先アプリにおいて課金利用があった場合（成果達成条件（４））には、送客元アプリの個別送客評価値を「＋２」することができる。即ち、管理サーバ５０は、送客先アプリでの利用が多い優良なユーザを送客した場合には、送客元アプリに対する評価を高くすることができる。よって、管理サーバ５０は、送客先アプリでの利用が多い優良なユーザを送客した場合には、送客元アプリが属するグループに対する評価を高くすることができる。これにより、本実施形態による管理サーバ５０は、送客先アプリにおいて１つの成果が達成されていても、さらに異なる成果が達成された場合に、送客元アプリが属するグループに対してより高い評価とすることができる。
【０２０９】
（９）広告情報決定部５５２（決定部の一例）は、選択したグループに属するアプリケーションが複数ある場合、当該複数のアプリケーションのそれぞれに関連付けられた広告情報（アプリケーション情報の一例）のうち、ユーザ端末１０に表示される、送客先アプリ（第２のアプリケーションの一例）に関連付けられた広告情報を所定の規則に従って決定する。
【０２１０】
例えば、広告情報決定部５５２は、グループ内にリワード広告の対象になるアプリケーションが複数ある場合、当該グループに属する各アプリケーションの個別送客評価値の多寡（大小）に基づいて、広告表示させるアプリケーションを決定する。これにより、本実施形態による管理サーバ５０は、グループの中でも送客に多く貢献しているアプリケーションの広告を優先して表示されるようにすることができる。
【０２１１】
また、広告情報決定部５５２は、グループ内にリワード広告の対象になるアプリケーションが複数ある場合、個別送客評価値に基づく方法以外の方法を用いて、広告表示させるアプリケーションを決定してもよい。
例えば、広告情報決定部５５２は、グループ内にリワード広告の対象になるアプリケーションが複数ある場合、アプリケーションの提供元が送客させたいアプリケーションを優先的に決定するようにしてもよい。これにより、本実施形態による管理サーバ５０は、グループの中でも送客させたいアプリケーションの広告を優先して表示されるようにすることができる。
【０２１２】
このように、アプリケーションの提供元にとって、アプリケーションの送客目的に合わせた効果的な広告の表示が可能となる。
【０２１３】
なお、広告情報決定部５５２は、グループ内にリワード広告の対象になるアプリケーションが複数ある場合、グループ内で広告表示させるアプリケーションを抽選で決定してもよい。この抽選は、ランダムな抽選であってもよいし、アプリケーションごとに予め設定された割合に基づいて抽選であってもよい。
【０２１４】
また、広告情報決定部５５２は、グループに属する各アプリケーションの広告の表示回数がアプリケーションごとに予め設定された割合（均等も含む）になるように、グループ内で広告表示させるアプリケーションを決定してもよい。また、広告情報決定部５５２は、グループ内で広告表示させるアプリケーションを、ＤＡＵ（Daily Active Users）又はＬＴＶ（Life Time Value）等の指標に基づいて決定してもよい。
【０２１５】
また、広告情報決定部５５２は、グループに属するアプリケーションが複数ある場合、グループ内で広告表示させるアプリケーションを、グループに属するアプリケーションのうちいずれか一つのアプリケーションの広告に決定してもよいし、いずれか複数のアプリケーションのそれぞれの広告に決定してもよい。つまり、管理サーバ５０は、同一グループの複数のアプリケーションの広告がアプリ一覧ページに表示されるようにしてもよい。
【０２１６】
（１０）広告情報決定部５５２（決定部の一例）は、上記所定の規則として、上記所定の成果を達成済みのアプリケーションに関連付けられた広告情報（アプリケーション情報の一例）を、ユーザ端末１０に表示される、送客先アプリ（第２のアプリケーションの一例）に関連付けられた広告情報から除外する。
【０２１７】
例えば、広告情報決定部５５２は、ユーザ端末１０に導入済みのアプリケーションの広告を、当該ユーザ端末１０に表示される広告から除外する。これにより、本実施形態による管理サーバ５０は、一旦、ユーザ端末１０に導入されたことで送客先アプリの対象とならないアプリケーションの広告がアプリ一覧ページに表示されないようにすることができる。なお、管理サーバ５０は、導入済みのアプリケーションの広告を送客先アプリの対象となるアプリケーションの広告と区別可能にアプリ一覧ページに表示されるようにしてもよい。
【０２１８】
また、広告情報決定部５５２は、ユーザ端末１０に導入済みのアプリケーションのうち継続利用による成果又は課金利用による成果を達成したアプリケーションの広告を、当該ユーザ端末１０に表示される広告から除外してもよい。この場合、管理サーバ５０は、ユーザ端末１０に導入されているがあまり利用されていない送客先アプリに対して、リワード広告を表示させることで利用を促すことができる。
【０２１９】
（１１）広告情報決定部５５２（決定部の一例）は、上記所定の規則として、予め除外対象として設定されたアプリケーションに関連付けられた広告情報（アプリケーション情報の一例）を、ユーザ端末１０に表示される、送客先アプリ（第２のアプリケーションの一例）に関連付けられた広告情報から除外する。
【０２２０】
これにより、本実施形態による管理サーバ５０は、例えば、アプリケーションによるサービスの提供が終了することが決まって新たなユーザの登録を受け付けないようなアプリケーションを、予め除外対象とすることで、アプリ一覧ページに表示されないようにすることができる。即ち、本実施形態による管理サーバ５０は、同一のグループに属するアプリケーションとして、送客元としての機能と送客先としての機能の両方を備えたアプリケーションだけでなく、送客元としての機能のみを備えたアプリケーションを含ませることが可能となる。さらに、管理サーバ５０は、送客先としての機能のみを備えたアプリケーションを含ませてもよい。このように、本実施形態によれば、アプリケーションの提供元にとって、アプリケーションの送客目的に合わせた効果的な広告の表示が可能となる。
【０２２１】
（１２）ユーザ端末１０における送客元アプリ（第１のアプリケーションの一例）の利用を少なくとも含む要因に起因して表示される広告情報（アプリケーション情報の一例）に関連付けられた送客先アプリ（第２のアプリケーションの一例）は、当該送客元アプリとは異なるグループに属する。
【０２２２】
これにより、本実施形態による管理サーバ５０は、送客元アプリと同じグループに属するアプリケーションの広告をアプリ一覧ページに表示されないようにすることができる。
即ち、広告システム１において、同一グループ内のアプリケーション間で送客ができないようにしてもよい。
【０２２３】
（１３）本実施形態による広告システム１において、ユーザ端末１０は、複数のグループのそれぞれに属する一又は複数のアプリケーションのそれぞれに関連付けられた広告情報（アプリケーション情報の一例）を管理する管理サーバ５０（管理装置の一例）と通信する端末装置の一例である。このユーザ端末１０は、インストール通知部１１２、送客情報通知部１５０、及び成果地点到達情報通知部１６０（送信部の一例）と、広告取得部１３０（取得部の一例）と、表示制御部１４０と、を備えている。
送客情報通知部１５０は、送客元アプリ（第１のアプリケーションの一例）の利用を少なくとも含む要因に起因して表示される広告情報であって送客先アプリ（第２のアプリケーションの一例）に関連付けられた広告情報に基づく所定の成果（例えば、上述の成果達成条件（１））が達成されたことを示す当該送客先アプリに関連付けられた送客情報（成果達成情報の一例）を、管理サーバ５０に対して送信する。また、インストール通知部１１２は、送客元アプリの利用を少なくとも含む要因に起因して表示される広告情報に関連付けられた送客先アプリに基づく所定の成果（例えば、上述の成果達成条件（２））が達成されたことを示す当該送客先アプリに関連付けられたインストール通知情報（成果達成情報の一例）を、管理サーバ５０に対して送信する。また、成果地点到達情報通知部１６０は、送客元アプリの利用を少なくとも含む要因に起因して表示される広告情報に関連付けられた送客先アプリに基づく所定の成果（例えば、上述の成果達成条件（３）又は成果達成条件（４））が達成されたことを示す当該送客先アプリに関連付けられた成果地点到達情報（成果達成情報の一例）を、管理サーバ５０に対して送信する。
広告取得部１３０は、インストール通知部１１２、送客情報通知部１５０、又は成果地点到達情報通知部１６０により送信されるインストール通知情報、送客情報、又は成果地点到達情報に基づいて複数のグループのうちから選択されたグループに属するいずれかのアプリケーションに関連付けられた広告情報を、管理サーバ５０から取得する。表示制御部１４０は、広告取得部１３０が取得した広告情報を表示部１２に表示させる。
【０２２４】
このように、ユーザ端末１０は、送客元アプリに表示されるアプリ一覧ページから送客先アプリが選択された場合、送客先アプリが導入された場合、又は送客先アプリが継続利用された場合に、それぞれを示す情報を管理サーバ５０に送信する。そして、ユーザ端末１０は、管理サーバ５０に送信したこれらの情報に基づいて選択されたグループに属するアプリケーションの広告を、管理サーバ５０から取得して表示する。これにより、ユーザ端末１０は、アプリケーション間で行われる送客（例えば、送客数）をグループ単位で評価した評価結果に応じて決定されたアプリケーションの広告を表示することができる。例えば、送客に多く貢献しているグループで送客数の多いアプリケーションがユーザ端末１０に導入済みであっても、その同じグループに属する他のアプリケーションの広告を表示することができる。よって、アプリケーションの提供元単位でグループを構成した広告システム１において、アプリケーション間で送客を行う場合に、送客に多く貢献しているアプリケーションの提供元にとって効果的な広告の表示ができないことを軽減することができる。即ち、本実施形態によれば、アプリケーション間で送客を行う場合にアプリケーションを提供している提供元にとって送客に結びつく効果的な広告の表示を行うことを軽減することができる。
【０２２５】
[第２の実施形態]
次に、本発明の第２の実施形態について説明する。
第１の実施形態では、個別送客評価値に基づいて算出されたグループ送客評価値が送客評価値記憶部５２６に記憶される例を説明した。これに対して、本実施形態では、グループ送客評価値は記憶されず、アプリ一覧ページが生成される際に、グループ送客評価値が個別送客評価値に基づいて算出される例を説明する。
【０２２６】
なお、本実施形態による広告システムの基本的な構成は、図４に示す広告システム１の構成と同様である。本実施形態において、図４に示す広告システム１の構成のうち、ユーザ端末１０、アプリサーバ３０、及びアプリサーバ４０の構成は、第１の実施形態と同様であるため、その説明を省略する。また、本実施形態では、図４に示す広告システム１の構成のうち、管理サーバ５０の機能構成が図１３に示す管理サーバ５０Ａの機能構成となる点が、第１の実施形態と異なる。なお、管理サーバ５０Ａのハードウェア構成は、図７に示す管理サーバ５０のハードウェア構成と同様である。以下、図１３を参照して、本実施形態による管理サーバ５０Ａの機能構成について説明する。
【０２２７】
図１３は、本実施形態による管理サーバ５０Ａの機能構成の一例を示す概略構成図である。なお、この図において、図８の各部に対応する構成には同一の符号を付けており、その説明を省略する。管理サーバ５０Ａは、サーバ制御部５３が広告制御プログラム等に基づいて実行する機能として、管理部５１０と、成果達成情報取得部５３０と、送客評価部５４０Ａと、広告情報処理部５５０Ａと、ストア情報通知部５６０と、リワード処理部５７０と、を備えている。また、管理サーバ５０Ａのサーバ記憶部５２Ａは、アプリケーション情報記憶部５２１と、リワード情報記憶部５２２と、インストール情報記憶部５２３と、送客情報記憶部５２４と、成果地点到達情報記憶部５２５と、送客評価値記憶部５２６Ａと、を備えている。
【０２２８】
送客評価部５４０Ａは、個別評価部５４１と、グループ評価部５４２Ａとを備えている。また、広告情報処理部５５０Ａは、広告要求取得部５５１と、広告情報決定部５５２Ａと、広告通知部５５３とを備えている。
【０２２９】
個別評価部５４１は、第１の実施形態で説明したように、送客情報、インストール通知情報、又は成果地点到達情報を取得したことに基づいて、送客元アプリ又は送客先アプリの個別送客評価値を更新する。
【０２３０】
図１４は、本実施形態による送客評価値記憶部５２６Ａに記憶される送客評価値テーブルＴＢＬ５２６Ａの一例を示す図である。送客評価値テーブルＴＢＬ５２６Ａには、アプリケーションのアプリＩＤと、当該アプリＩＤが示すアプリケーションに対する個別送客評価値と、が関連付けられて格納される。つまり、本実施形態による送客評価値テーブルＴＢＬ５２６Ａは、グループＩＤ、及び当該グループＩＤが示すグループに対するグループ送客評価値が格納されない点が、第１の実施形態の送客評価値テーブルＴＢＬ５２６と相違する。
【０２３１】
個別評価部５４１は、送客評価値テーブルＴＢＬ５２６Ａに格納されている送客元アプリ又は送客先アプリの個別送客評価値を更新する。グループ評価部５４２Ａは、必要に応じて、送客評価値テーブルＴＢＬ５２６Ａに格納されている個別送客評価値に基づいて、グループごとのグループ送客評価値を算出する。具体的には、グループ評価部５４２Ａは、アプリケーション情報テーブルＴＢＬ５２１（図９）を参照して、各グループに属するアプリケーションを特定する。そして、グループ評価部５４２Ａは、グループごとのグループ送客評価値を各グループに属するアプリケーションの個別送客評価値に基づいて算出する。
【０２３２】
例えば、広告情報決定部５５２Ａは、アプリ一覧ページを生成する際に、グループ評価部５４２Ａに対して、各グループのグループ送客評価値の算出を要求する。グループ評価部５４２Ａは、この広告情報決定部５５２Ａからの要求に応じて、各グループのグループ送客評価値を算出して広告情報決定部５５２Ａに引き渡す。そして、広告情報決定部５５２Ａは、グループ評価部５４２Ａから引き渡された各グループのグループ送客評価値に基づいて、複数のグループのうちの一部又は全部を順位付けして選択する。その他の処理は第１の実施形態と同様であり、広告情報決定部５５２Ａは、順位付けしたグループの順に従ってアプリケーションの広告を並べたアプリ一覧ページを生成する。
【０２３３】
〔第２の実施形態のまとめ〕
以上説明したように、本実施形態による管理サーバ５０Ａは、グループごとのグループ送客評価値を管理しないで、アプリケーションごとの個別送客評価値に基づいてグループごとのグループ送客評価値を算出することで、第１の実施形態と同様に、グループ単位の評価結果に応じて広告表示を制御することができる。例えば、管理サーバ５０Ａは、送客に多く貢献しているグループで送客数の多いアプリケーションがユーザ端末１０に導入済みであっても、その同じグループに属する他のアプリケーションの広告がユーザ端末１０に表示されるようにすることができる。
【０２３４】
具体的には、グループ評価部５４２Ａは、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリが属するグループに対する評価値（例えば、グループ送客評価値）を算出して評価する。
これにより、本実施形態による管理サーバ５０Ａは、グループ単位で送客の貢献度合いを管理することができる。
【０２３５】
[第３の実施形態]
次に、本発明の第３の実施形態について説明する。
本実施形態では、アプリケーションごとの個別送客評価値を管理しないで、グループごとのグループ送客評価値のみを管理する例を説明する。
【０２３６】
なお、本実施形態による広告システムの基本的な構成は、図４に示す広告システム１の構成と同様である。本実施形態において、図４に示す広告システム１の構成のうち、ユーザ端末１０、アプリサーバ３０、及びアプリサーバ４０の構成は、第１の実施形態と同様であるため、その説明を省略する。また、本実施形態では、図４に示す広告システム１の構成のうち、管理サーバ５０の機能構成が図１５に示す管理サーバ５０Ｂの機能構成となる点が、第１の実施形態と異なる。なお、管理サーバ５０Ｂのハードウェア構成は、図７に示す管理サーバ５０のハードウェア構成と同様である。以下、図１５を参照して、本実施形態による管理サーバ５０Ｂの機能構成について説明する。
【０２３７】
図１５は、本実施形態による管理サーバ５０Ｂの機能構成の一例を示す概略構成図である。なお、この図において、図８の各部に対応する構成には同一の符号を付けており、その説明を省略する。管理サーバ５０Ｂは、サーバ制御部５３が広告制御プログラム等に基づいて実行する機能として、管理部５１０と、成果達成情報取得部５３０と、送客評価部５４０Ｂと、広告情報処理部５５０Ｂと、ストア情報通知部５６０と、リワード処理部５７０と、を備えている。また、管理サーバ５０Ｂのサーバ記憶部５２Ｂは、アプリケーション情報記憶部５２１と、リワード情報記憶部５２２と、インストール情報記憶部５２３と、送客情報記憶部５２４と、成果地点到達情報記憶部５２５と、送客評価値記憶部５２６Ｂと、を備えている。
【０２３８】
送客評価部５４０Ｂは、グループ評価部５４２Ｂを備えており、図８に示す個別評価部５４１を備えていない。また、広告情報処理部５５０Ｂは、広告要求取得部５５１と、広告情報決定部５５２Ｂと、広告通知部５５３とを備えている。
【０２３９】
グループ評価部５４２Ｂは、ユーザ端末１０における送客元アプリの利用を少なくとも含む要因に起因して表示されるリワード広告（アプリ一覧）、及び当該リワード広告に掲載されている広告に示される送客先アプリ、のうちの少なくとも一方に基づく所定の成果が達成されたことに基づいて、送客元アプリが属するグループ又は送客先アプリが属するグループを評価する。
【０２４０】
つまり、第１の実施形態では、上記所定の成果が達成されたことに基づいて、アプリケーションごとの個別送客評価値が更新され、その個別送客評価値に基づいてグループ送客評価値が算出されたが、本実施形態では、所定の成果が達成されたことに基づいてグループ送客評価値が直接更新される。
【０２４１】
グループ評価部５４２Ｂは、前述したように例えば、成果達成条件（１）〜（４）等のいずれか一つ又は複数の成果達成条件に基づいて、送客元アプリが属するグループ又は送客先アプリが属するグループのグループ送客評価値を更新する。
【０２４２】
例えば、グループ評価部５４２Ｂは、送客情報、インストール通知情報、又は成果地点到達情報を取得したことに基づいて、送客情報、インストール通知情報、又は成果地点到達情報に対応する送客元アプリが属するグループ又は送客先アプリが属するグループのグループ送客評価値を更新する。
【０２４３】
図１６は、本実施形態による送客評価値記憶部５２６Ｂに記憶される送客評価値テーブルＴＢＬ５２６Ｂの一例を示す図である。送客評価値テーブルＴＢＬ５２６Ｂには、グループのグループＩＤと、当該グループＩＤが示すグループに対するグループ送客評価値と、が関連付けられて格納される。つまり、本実施形態による送客評価値テーブルＴＢＬ５２６Ｂは、アプリＩＤ、及び当該アプリＩＤが示すアプリケーションに対する個別送客評価値が格納されない点が、第１の実施形態の送客評価値テーブルＴＢＬ５２６と相違する。
【０２４４】
グループ評価部５４２Ｂは、上述の成果達成条件（１）〜（４）のいずれかが充足されたことに基づいて、送客評価値テーブルＴＢＬ５２６Ｂに格納されているグループ送客評価値を更新する。広告情報決定部５５２Ｂは、広告要求情報を取得すると、送客評価値テーブルＴＢＬ５２６Ｂに格納されている各グループのグループ送客評価値に基づいて、複数のグループのうちの一部又は全部を順位付けして選択する。
【０２４５】
次に、広告情報決定部５５２Ｂは、選択したグループに属するいずれかのアプリケーションの広告を、ユーザ端末１０に表示されるリワード広告として決定する。例えば、広告情報決定部５５２Ｂは、アプリ一覧ページの送信先のユーザ端末１０に既に導入済みであるアプリケーションを除外した、残りのアプリケーションのうちから決定する。
【０２４６】
例えば、グループ内において、導入済みのアプリケーションを除外した後にリワード広告の対象となるアプリケーションが複数ある場合には、広告情報決定部５５２Ｂは、その複数のアプリケーションのうちから、アプリ一覧ページにリワード広告として表示させるアプリケーションを決定する。この場合、広告情報決定部５５２Ｂは、例えば、グループ内で広告表示させるアプリケーションを抽選で決定してもよいし、ＤＡＵ又はＬＴＶ等の指標に基づいて決定してもよい。また、広告情報決定部５５２Ｂは、グループに属する各アプリケーションの広告の表示回数がアプリケーションごとに予め設定された割合（均等も含む）になるように、グループ内で広告表示させるアプリケーションを決定してもよい。
【０２４７】
その他の処理は第１の実施形態と同様であり、広告情報決定部５５２Ｂは、グループごとに決定したアプリケーションの広告を、順位付けしたグループの順に従って並べたアプリ一覧ページを生成する。
【０２４８】
〔第３の実施形態のまとめ〕
（１）以上説明したように、本実施形態による管理サーバ５０Ｂは、アプリケーションごとの個別送客評価値を管理しないで、グループごとのグループ送客評価値を直接更新して管理することで、第１の実施形態と同様に、グループ単位の評価結果に応じて広告表示を制御することができる。例えば、管理サーバ５０Ｂは、送客に多く貢献しているグループで送客数の多いアプリケーションがユーザ端末１０に導入済みであっても、その同じグループに属する他のアプリケーションの広告がユーザ端末１０に表示されるようにすることができる。
【０２４９】
（２）グループ評価部５４２Ｂは、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリが属するグループに対する評価値（例えば、グループ送客評価値）を更新する。
これにより、本実施形態による管理サーバ５０Ｂは、グループ単位で送客の貢献度合いを管理することができる。
【０２５０】
（３）管理サーバ５０Ｂは、成果達成情報取得部５３０（取得部の一例）を備えている。成果達成情報取得部５３０は、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことを示す成果達成情報をユーザ端末１０から取得する。この成果達成情報とは、例えば、送客情報、インストール通知情報、又は成果地点到達情報であり、これらの情報は、送客先アプリに関連付けられた情報である。グループ評価部５４２Ｂは、成果達成情報取得部５３０が取得した上記送客先アプリに関連付けられた成果達成情報に基づいて、当該送客先アプリに関連付けられた広告情報が表示される起因となった送客元アプリが属するグループを評価する。
【０２５１】
このように、本実施形態による管理サーバ５０Ｂは、ユーザ端末１０から送信された送客情報、インストール通知情報、又は成果地点到達情報を取得したことに基づいてグループを評価する。よって、管理サーバ５０Ｂは、アプリ一覧ページにおいて送客先アプリの広告を選択（成果達成条件（１））、送客先アプリの導入（成果達成条件（２））、送客先アプリの継続利用（成果達成条件（３））、送客先アプリにおける課金利用（成果達成条件（４））、等のいずれか一つ又は複数の成果達成条件に基づいて、送客元アプリの送客の貢献度合いを評価することができる。
【０２５２】
（４）グループ評価部５４２Ｂは、ユーザ端末１０における送客元アプリ（第１のアプリケーションの一例）の利用を少なくとも含む要因に起因して表示される広告情報（アプリケーション情報の一例）であって送客先アプリ（第２のアプリケーションの一例）に関連付けられた広告情報、及び当該広告情報に関連付けられた送客先アプリ、のうちの少なくとも一方に基づく所定の成果が達成されたことに基づいて、当該送客元アプリが属するグループを評価するとともに、当該所定の成果が達成された送客先アプリが属するグループを評価する。
【０２５３】
これにより、本実施形態による管理サーバ５０Ｂは、例えば、送客する側のグループを加点評価し、送客された側のグループを減点評価することができるため、グループ単位で送客した度合い（例えば、送客した数）と送客された度合い（例えば、送客された数）との差を評価することができる。また、管理サーバ５０Ｂは、グループ単位で送客した度合いと送客された度合いとの差に応じて、広告表示を制御することができる。具体的には、管理サーバ５０Ｂは、送客した数が多く、且つ送客された数が少ないグループの広告程、優先して表示されるようにすることができる。一方、管理サーバ５０Ｂは、送客した数が少なく、且つ送客された数が多いグループの広告程、表示を優先しないようにすることができる。また、管理サーバ５０Ｂは、送客した数が多くても送客された数も同様に多ければ、送客する側と送客される側のバランスがとれているため、そのグループの広告表示を優先しないようにすることができる。
【０２５４】
（５）グループ評価部５４２Ｂは、送客先アプリ（第２のアプリケーションの一例）において達成済みの成果とは異なる成果が達成されたことに基づいて、当該送客先アプリに関連付けられた広告情報（アプリケーション情報の一例）が表示される起因となった送客元アプリ（第１のアプリケーションの一例）が属するグループを評価する。
【０２５５】
これにより、本実施形態による管理サーバ５０Ｂは、送客先アプリにおいて既に成果が達成されていても、さらに異なる成果が達成された場合に、送客元アプリが属するグループに対してより高い評価とすることができる。例えば、管理サーバ５０Ｂは、ユーザ端末１０に送客先アプリが導入された場合（成果達成条件（２））、送客元アプリが属するグループのグループ送客評価値を「＋１」し、さらに、ユーザ端末１０において送客先アプリが継続利用された場合（成果達成条件（３））、又は、送客先アプリにおいて課金利用があった場合（成果達成条件（４））には、送客元アプリが属するグループのグループ送客評価値を「＋２」することができる。即ち、管理サーバ５０Ｂは、送客先アプリでの利用が多い優良なユーザを送客した場合には、送客元アプリが属するグループに対する評価を高くすることができる。
【０２５６】
[変形例]
以上、この発明の実施形態について図面を参照して詳述してきたが、具体的な構成は上述の実施形態に限られるものではなく、この発明の要旨を逸脱しない範囲の設計等も含まれる。例えば、上述の第１〜第３の実施形態において説明した各機能は、任意に組み合わせることができる。なお、以下の記載において、管理サーバ５０、５０Ａ、５０Ｂを、特に区別しない場合には、単に「管理サーバ５０」として記載する。
【０２５７】
（１）上記実施形態では、管理サーバ５０とユーザ端末１０とが直接的に通信することにより各種情報を送受信する例を説明した。ここで、管理サーバ５０は、ユーザ端末１０に導入されている送客元アプリ（アプリＡ１）とアプリサーバ３０を介して通信セッションを確立させた後、又はユーザ端末１０に導入されている送客先アプリ（アプリＢ１）とアプリサーバ４０を介して通信セッションを確立させた後で、ユーザ端末１０と直接的に通信してもよい。同様に、ユーザ端末１０は、ユーザ端末１０に導入されている送客元アプリ（アプリＡ１）とアプリサーバ３０を介して通信セッションを確立させた後、又はユーザ端末１０に導入されている送客先アプリ（アプリＢ１）とアプリサーバ４０を介して通信セッションを確立させた後で、管理サーバ５０と直接的に通信してもよい。
【０２５８】
なお、ユーザ端末１０から直接的に管理サーバ５０と通信する場合に、必要に応じて通信セッションを確立させるようにしてもよい。つまり、通信セッションを確立させる前に直接的に管理サーバ５０と通信する場合と、通信セッションを確立させた後に直接的に管理サーバ５０と通信する場合との両方を含んでもよい。
【０２５９】
また、管理サーバ５０とユーザ端末１０とは、アプリサーバ３０又はアプリサーバ４０を介して、ユーザ端末１０と間接的に通信してもよい。
【０２６０】
（２）上記実施形態では、広告システム１が、広告に基づいて送客先アプリを導入した場合に報酬が付与されるインセンティブ型のリワード広告のシステムである例を説明したが、広告システム１は、報酬が付与されない非インセンティブ型のリンク広告のシステムとしてもよい。リンク広告の場合には、報酬付与に関する機能構成（例えば、リワード処理部５７０及びリワード情報記憶部５２２）が不要であり、また、報酬付与に関する処理（図１２のステップＳ３００、Ｓ３０２、Ｓ３０４、Ｓ３０６、Ｓ５５６、Ｓ５６４）が不要である。また、リワード広告の場合には報酬付与が行われるアプリケーションのみがアプリ一覧ページに表示される広告の対象となるが、リンク広告の場合には報酬付与の有無には関係がない。したがって、アプリ一覧からユーザ端末１０に既に導入済みであるアプリケーションを除外しなくてもよい。
【０２６１】
（３）上記実施形態では、ユーザ端末１０を一意に識別可能な情報としての識別ＩＤが、ユーザ端末１０に最初に広告システム１に対応したアプリケーションがインストールされたときに生成される例を説明したが、これに限られるものではない。
例えば、ユーザ端末１０に固有に設定されている電話番号やメールアドレス（例えば、スマートフォンの場合）を識別ＩＤとしてもよい。しかしながら、電話番号やメールアドレス等のような個人情報を利用せずに、本実施形態のように識別ＩＤを生成して利用する方がセキュリティの面で有利である。また、識別ＩＤとして、ユーザ端末１０ごとに一意に割り振られるＵＤＩＤ（Unique Device Identifier）、ＩＭＥＩ（International Mobile Equipment Identity）、又はＩＭＳＩ（International Mobile Subscriber Identity）等の識別番号を利用してもよい。またこれら識別番号をハッシュ化又は暗号化して利用してもよい。また、識別ＩＤとして、ユーザ端末１０のＯＳの機能としてユーザ端末１０ごとに対応付けられた互いに異なる情報であって、各アプリケーションによって使用することが許可されている情報（例えば、広告識別子（Advertising Identifier））を利用してもよい。また、識別ＩＤとして、管理サーバ５０が、画面解像度・幅、タイムゾーン時差等の１００種類程度のパラメータをユーザ端末１０から取得して、所定のアルゴリズムを用いて生成したＩＤを利用してもよい。
【０２６２】
（４）上述した広告システム１が備える各構成は、任意のコンピュータ装置に分散または集約して配置することができる。例えば、管理サーバ５０、アプリサーバ３０、アプリサーバ４０、又はアプリストア７０は、クラウド環境やネットワーク環境、ユーザ数の規模、広告システム１を構成するために用意されたハードウェアの数やスペック等に応じて、任意のコンピュータ装置に分散または集約して配置することができる。例えば、管理サーバ５０のサーバ記憶部５２は、管理サーバ５０とは異なるサーバ装置に備えられてもよい。そして、管理サーバ５０が備える管理部５１０が管理サーバ５０とは異なるサーバ装置に備えられたサーバ記憶部５２と通信することにより、サーバ記憶部５２が備える各部が記憶する各情報を管理してもよい。また、管理サーバ５０、アプリサーバ３０、アプリサーバ４０、又はアプリストア７０が一体となったサーバ装置として構成されてもよい。
【０２６３】
（５）上述の端末制御部１５が実行する機能（初期化処理部１１０、広告要求部１２０、広告取得部１３０、表示制御部１４０、送客情報通知部１５０、若しくは成果地点到達情報通知部１６０の機能）、又はサーバ制御部５３が実行する機能（管理部５１０、成果達成情報取得部５３０、送客評価部５４０（５４０Ａ、５４０Ｂ）、広告情報処理部５５０（５５０Ａ、５５０Ｂ）ストア情報通知部５６０、若しくはリワード処理部５７０の機能）を実現するためのプログラムをコンピュータ読み取り可能な記録媒体に記録して、この記録媒体に記録されたプログラムをコンピュータシステムに読み込ませ、実行することにより上述の各部の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。即ち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。
また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０２６４】
また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０２６５】
[付記]
以上の記載から本発明は例えば以下のように把握される。なお、本発明の理解を容易にするために添付図面の参照符号を便宜的に括弧書きにて付記するが、それにより本発明が図示の態様に限定されるものではない。
【０２６６】
（１）本発明の一態様に係る管理装置（５０、５０Ａ、５０Ｂ）は、複数のグループのそれぞれに属する一又は複数のアプリケーションのそれぞれに関連付けられたアプリケーション情報を管理する管理部（５１０）と、端末装置（１０）における第１のアプリケーション（例えば、送客元アプリ）の利用を少なくとも含む要因に起因して表示されるアプリケーション情報（例えば、広告情報）であって第２のアプリケーション（例えば、送客先アプリ）に関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するグループ評価部（５４２、５４２Ａ、５４２Ｂ）と、前記グループ評価部が評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定する決定部（５５２、５５２Ａ、５５２Ｂ）と、を備える。
【０２６７】
この構成によれば、管理サーバ５０は、アプリケーション間で行われる送客（例えば、送客数）をグループ単位で評価することにより広告を決定するため、グループ単位の評価結果に応じて広告表示を制御することができる。例えば、管理サーバ５０は、例えば、送客に多く貢献しているグループで送客数の多いアプリケーションがユーザ端末１０に導入済みであっても、その同じグループに属する他のアプリケーションの広告がユーザ端末１０に表示されるようにすることができる。よって、本実施形態によれば、アプリケーション間で送客を行う場合に、送客に多く貢献しているアプリケーションの提供元にとって送客に結びつく効果的な広告の表示ができないことを軽減することができる。
【０２６８】
（２）また本発明の一態様として、（１）に記載の管理装置において、前記決定部は、前記グループ評価部が評価した評価結果に基づいて前記複数のグループのうちの一部又は全部を順位を付けて選択し、選択したグループのそれぞれに属するアプリケーションに関連付けられたアプリケーション情報を、当該順位に応じて前記端末装置に表示される第２のアプリケーションに関連付けられたアプリケーション情報として決定する。
【０２６９】
この構成によれば、管理サーバ５０は、グループ単位で送客結果（例えば、送客数）を評価し、評価結果に応じてアプリ一覧ページに表示される広告の順番を決めるため、送客に多く貢献しているグループのアプリケーションの広告を優先してユーザ端末１０に表示されるようにすることができる。
【０２７０】
（３）また本発明の一態様として、（１）または（２）に記載の管理装置において、前記グループ評価部は、前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するとともに、当該所定の成果が達成された第２のアプリケーションが属するグループを評価する。
【０２７１】
この構成によれば、管理サーバ５０は、例えば、送客する側のグループを加点評価し、送客された側のグループを減点評価することができるため、グループ単位で送客した度合い（例えば、送客した数）と送客された度合い（例えば、送客された数）との差を評価することができる。
【０２７２】
（４）また本発明の一態様として、（１）から（３）のいずれか一項に記載の管理装置において、前記グループ評価部は、第２のアプリケーションにおいて達成済みの成果とは異なる成果が達成されたことに基づいて、当該第２のアプリケーションに関連付けられたアプリケーション情報が表示される起因となった第１のアプリケーションが属するグループを評価する。
【０２７３】
この構成によれば、管理サーバ５０は、送客先アプリにおいて既に成果が達成されていても、さらに異なる成果が達成された場合に、送客元アプリが属するグループに対してより高い評価とすることができる。
【０２７４】
（５）また本発明の一態様として、（１）から（４）のいずれか一項に記載の管理装置は、前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報（例えば、送客情報、インストール通知情報、又は成果地点到達情報）を前記端末装置から取得する取得部（５３１）、を備え、前記グループ評価部は、前記取得部が取得した第２のアプリケーションに関連付けられた成果達成情報に基づいて、当該第２のアプリケーションに関連付けられたアプリケーション情報が表示される起因となった第１のアプリケーションが属するグループを評価する。
【０２７５】
この構成によれば、管理サーバ５０は、ユーザ端末１０から送信された送客情報、インストール通知情報、及び成果地点到達情報のうちの少なくとも一つを取得したことに基づいてグループを評価する。よって、管理サーバ５０は、アプリ一覧ページにおいて送客先アプリの広告を選択（成果達成条件（１））、送客先アプリの導入（成果達成条件（２））、送客先アプリの継続利用（成果達成条件（３））、送客先アプリにおける課金利用（成果達成条件（４））、等のいずれか一つ又は複数の成果達成条件に基づいて、送客元アプリの送客の貢献度合いを評価することができる。
【０２７６】
（６）また本発明の一態様として、（１）から（５）のいずれか一項に記載の管理装置は、前記端末装置における前記第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションを評価する個別評価部（５４１）、を備え、前記グループ評価部（５４２、５４２Ａ）は、第１のアプリケーションが属するグループを、前記個別評価部が評価した当該グループに属するアプリケーションの評価結果に基づいて評価する。
【０２７７】
この構成によれば、管理サーバ５０は、アプリケーションごとの送客（例えば、送客数）の評価結果に基づいて当該アプリケーションが属するグループを評価するので、グループに属するアプリケーションの送客への貢献度合いに応じて、送客に多く貢献しているグループの広告表示を優先させることができる。
【０２７８】
（７）また本発明の一態様として、（６）に記載の管理装置において、前記個別評価部は、前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションを評価するとともに、当該所定の成果が達成された第２のアプリケーションを評価する。
【０２７９】
この構成によれば、管理サーバ５０は、例えば、送客する側のアプリケーションを加点評価し、送客された側のアプリケーションを減点評価することができるため、アプリケーションごとの送客した度合い（例えば、送客した数）と送客された度合い（例えば、送客された数）との差を評価することができる。
【０２８０】
（８）また本発明の一態様として、（６）または（７）に記載の管理装置において、前記個別評価部は、第２のアプリケーションにおいて達成済みの成果とは異なる成果が達成されたことに基づいて、当該第２のアプリケーションに関連付けられたアプリケーション情報が表示される起因となった第１のアプリケーションを評価する。
【０２８１】
この構成によれば、管理サーバ５０は、送客先アプリにおいて既に成果が達成されていても、さらに異なる成果が達成された場合に、送客元アプリに対してより高い評価とすることができる。
【０２８２】
（９）また本発明の一態様として、（６）から（８）のいずれか一項に記載の管理装置において、前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を前記端末装置から取得する取得部、を備え、前記個別評価部は、前記取得部が取得した第２のアプリケーションに関連付けられた成果達成情報に基づいて、当該第２のアプリケーションに関連付けられたアプリケーション情報が表示される起因となった第１のアプリケーションを評価する。
【０２８３】
この構成によれば、管理サーバ５０は、ユーザ端末１０から送信された送客情報、インストール通知情報、又は成果地点到達情報を取得したことに基づいて送客元アプリを評価する。よって、管理サーバ５０は、アプリ一覧ページにおいて送客先アプリの広告を選択（成果達成条件（１））、送客先アプリの導入（成果達成条件（２））、送客先アプリの継続利用（成果達成条件（３））、送客先アプリにおける課金利用（成果達成条件（４））、等のいずれか一つ又は複数の成果達成条件に基づいて、送客元アプリの送客の貢献度合いを評価することができる。
【０２８４】
（１０）また本発明の一態様として、（１）から（９）のいずれか一項に記載の管理装置において、前記決定部は、選択したグループに属するアプリケーションが複数ある場合、当該複数のアプリケーションのそれぞれに関連付けられたアプリケーション情報のうち、前記端末装置に表示される、第２のアプリケーションに関連付けられたアプリケーション情報を所定の規則に従って決定する。
【０２８５】
この構成によれば、管理サーバ５０は、グループ内の複数のアプリケーションの中から、広告表示されるアプリケーションを所定の規則で決定する。よって、管理サーバ５０は、広告表示されるアプリケーションを、例えば、グループの中でも送客に多く貢献しているアプリケーションを優先して決定したり、抽選により決定したり、ＤＡＵ又はＬＴＶ等の指標に基づいて決定したりすることができる。
【０２８６】
（１１）また本発明の一態様として、（１０）に記載の管理装置において、前記決定部は、前記所定の規則として、前記所定の成果を達成済みのアプリケーションに関連付けられたアプリケーション情報を、前記端末装置に表示される、第２のアプリケーションに関連付けられたアプリケーション情報から除外する。
【０２８７】
この構成によれば、管理サーバ５０は、一旦、ユーザ端末１０に導入されたことで送客先アプリの対象とならないアプリケーションの広告がアプリ一覧ページに表示されないようにすることができる。
【０２８８】
（１２）また本発明の一態様として、（１０）または（１１）に記載の管理装置において、前記決定部は、前記所定の規則として、予め除外対象として設定されたアプリケーションに関連付けられたアプリケーション情報を、前記端末装置に表示される、第２のアプリケーションに関連付けられたアプリケーション情報から除外する。
【０２８９】
この構成によれば、管理サーバ５０は、例えば、アプリケーションによるサービスの提供が終了することが決まって新たなユーザの登録を受け付けないようなアプリケーションを、予め除外対象とすることで、アプリ一覧ページに表示されないようにすることができる。
【０２９０】
（１３）また本発明の一態様として、（１）から（１２）のいずれか一項に記載の管理装置において、前記グループ評価部（５４２、５４２Ｂ）は、前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループに対する評価値を更新する。
【０２９１】
この構成によれば、グループ評価部５４２は、アプリケーション間で行われる送客（例えば、送客数）をグループ単位で評価した評価結果をグループ送客評価値として更新するので、グループ単位で送客の貢献度合いを管理することができる。
【０２９２】
（１４）また本発明の一態様として、（６）から（９）のいずれか一項に記載の管理装置において、前記個別評価部は、前記端末装置における前記第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションに対する評価値を更新する。
【０２９３】
この構成によれば、管理サーバ５０は、アプリケーションごとの送客（例えば、送客数）の評価結果を個別送客評価値として更新するため、各アプリケーションの送客の貢献度合いを管理することができる。
【０２９４】
（１５）また本発明の一態様として、（１）から（１４）のいずれか一項に記載の管理装置において、前記端末装置における第１のアプリケーションの利用を少なくとも含む要因に起因して表示されるアプリケーション情報に関連付けられた第２のアプリケーションは、当該第１のアプリケーションとは異なるグループに属する。
【０２９５】
この構成によれば、管理サーバ５０は、送客元アプリと同じグループに属するアプリケーションの広告をアプリ一覧ページに表示されないようにすることができる。即ち、広告システム１において、同一グループ内のアプリケーション間で送客ができないようにすることができる。
【０２９６】
（１６）また本発明の一態様に係る端末装置は、複数のグループのそれぞれに属する一又は複数のアプリケーションのそれぞれに関連付けられたアプリケーション情報を管理する管理装置と通信する端末装置であって、第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信する送信部（１１２、１５０、１６０）と、前記送信部により送信される成果達成情報に基づいて前記複数のグループのうちから選択されたグループに属するいずれかのアプリケーションに関連付けられたアプリケーション情報を、前記管理装置から取得する取得部（１３０）と、前記取得部が取得したアプリケーション情報を表示部（１２）に表示させる表示制御部（１４０）と、を備える。
【０２９７】
この構成によれば、ユーザ端末１０は、アプリケーション間で行われる送客（例えば、送客数）をグループ単位で評価した評価結果に応じて決定されたアプリケーションの広告を表示することができる。例えば、送客に多く貢献しているグループで送客数の多いアプリケーションがユーザ端末１０に導入済みであっても、その同じグループに属する他のアプリケーションの広告を表示することができる。
【０２９８】
（１７）また本発明の一態様に係る制御方法は、複数のグループのそれぞれに属する一又は複数のアプリケーションのそれぞれに関連付けられたアプリケーション情報を管理する管理装置における制御方法であって、端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、を有する。
【０２９９】
この制御方法によれば、アプリケーション間で行われる送客（例えば、送客数）をグループ単位で評価することにより広告を決定するため、グループ単位の評価結果に応じて広告表示を制御することができる。
【０３００】
（１８）また本発明の一態様に係る制御方法は、複数のグループのそれぞれに属する一又は複数のアプリケーションのそれぞれに関連付けられたアプリケーション情報を管理する管理装置と通信する端末装置における制御方法であって、第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、前記送信される成果達成情報に基づいて前記複数のグループのうちから選択されたグループに属するいずれかのアプリケーションに関連付けられたアプリケーション情報を、前記管理装置から取得するステップと、前記取得したアプリケーション情報を表示部に表示させるステップと、を有する。
【０３０１】
この制御方法によれば、アプリケーション間で行われる送客（例えば、送客数）をグループ単位で評価した評価結果に応じて決定されたアプリケーションの広告を表示することができる。
【０３０２】
（１９）また本発明の一態様に係るプログラムは、複数のグループのそれぞれに属する一又は複数のアプリケーションのそれぞれに関連付けられたアプリケーション情報を管理する管理装置が備えるコンピュータに、端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、を実行させる。
【０３０３】
このプログラムによれば、アプリケーション間で行われる送客（例えば、送客数）をグループ単位で評価することにより広告を決定するため、グループ単位の評価結果に応じて広告表示を制御することができる。
【０３０４】
（２０）また本発明の一態様に係るプログラムは、複数のグループのそれぞれに属する一又は複数のアプリケーションのそれぞれに関連付けられたアプリケーション情報を管理する管理装置と通信する端末装置が備えるコンピュータに、第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、前記送信される成果達成情報に基づいて前記複数のグループのうちから選択されたグループに属するいずれかのアプリケーションに関連付けられたアプリケーション情報を、前記管理装置から取得するステップと、前記取得したアプリケーション情報を表示部に表示させるステップと、を実行させる。
【０３０５】
このプログラムによれば、アプリケーション間で行われる送客（例えば、送客数）をグループ単位で評価した評価結果に応じて決定されたアプリケーションの広告を表示することができる。
【符号の説明】
【０３０６】
１  広告システム、１０  ユーザ端末、１１  入力部、１２  表示部、１３  端末通信部、１４  端末記憶部、１５  端末制御部、３０、４０  アプリサーバ、５０、５０Ａ、５０Ｂ  管理サーバ、５１  サーバ通信部、５２、５２Ａ、５２Ｂ  サーバ記憶部、５３  サーバ制御部、７０  アプリストア、１１０  初期化処理部、１１１  識別情報取得部、１１２  インストール通知部、１２０  広告要求部、１３０  広告取得部、１４０  表示制御部、１５０  送客情報通知部、１６０  成果地点到達情報通知部、５１０  管理部、５２１  アプリケーション情報記憶部、５２２  リワード情報記憶部、５２３  インストール情報記憶部、５２４  送客情報記憶部、５２５  成果地点到達情報記憶部、５２６  送客評価値記憶部、５３０  成果達成情報取得部、５３１  インストール通知取得部、５３２  送客情報取得部、５３３  成果地点到達情報取得部、５４０、５４０Ａ、５４０Ｂ  送客評価部、５４１  個別評価部、５４２、５４２Ａ、５４２Ｂ  グループ評価部、５５０、５５０Ａ、５５０Ｂ  広告情報処理部、５５１  広告要求取得部、５５２、５５２Ａ、５５２Ｂ  広告情報決定部、５５３  広告通知部、５６０  ストア情報通知部、５７０  リワード処理部、ＴＢＬ５２１  アプリケーション情報テーブル、ＴＢＬ５２６、ＴＢＬ５２６Ａ、ＴＢＬ５２６Ｂ  送客評価値テーブル
【図１】
2016002342.tif 000003
【図２】
2016002342.tif 000004
【図３】
2016002342.tif 000005
【図４】
2016002342.tif 000006
【図５】
2016002342.tif 000007
【図６】
2016002342.tif 000008
【図７】
2016002342.tif 000009
【図８】
2016002342.tif 000010
【図９】
2016002342.tif 000011
【図１０】
2016002342.tif 000012
【図１１】
2016002342.tif 000013
【図１２】
2016002342.tif 000014
【図１３】
2016002342.tif 000015
【図１４】
2016002342.tif 000016
【図１５】
2016002342.tif 000017
【図１６】
2016002342.tif 000018
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
複数のグループのそれぞれに属する一又は複数のアプリケーションのそれぞれに関連付けられたアプリケーション情報を管理する管理部と、
端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するグループ評価部と、
前記グループ評価部が評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定する決定部と、
を備える管理装置。
【請求項２】
前記決定部は、
前記グループ評価部が評価した評価結果に基づいて前記複数のグループのうちの一部又は全部を順位を付けて選択し、選択したグループのそれぞれに属するアプリケーションに関連付けられたアプリケーション情報を、当該順位に応じて前記端末装置に表示される第２のアプリケーションに関連付けられたアプリケーション情報として決定する、
請求項１に記載の管理装置。
【請求項３】
前記グループ評価部は、
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するとともに、当該所定の成果が達成された第２のアプリケーションが属するグループを評価する、
請求項１または請求項２に記載の管理装置。
【請求項４】
前記グループ評価部は、
第２のアプリケーションにおいて達成済みの成果とは異なる成果が達成されたことに基づいて、当該第２のアプリケーションに関連付けられたアプリケーション情報が表示される起因となった第１のアプリケーションが属するグループを評価する、
請求項１から請求項３のいずれか一項に記載の管理装置。
【請求項５】
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を前記端末装置から取得する取得部、
を更に備え、
前記グループ評価部は、
前記取得部が取得した第２のアプリケーションに関連付けられた成果達成情報に基づいて、当該第２のアプリケーションに関連付けられたアプリケーション情報が表示される起因となった第１のアプリケーションが属するグループを評価する、
請求項１から請求項４のいずれか一項に記載の管理装置。
【請求項６】
前記端末装置における前記第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションを評価する個別評価部、
を更に備え、
前記グループ評価部は、
第１のアプリケーションが属するグループを、前記個別評価部が評価した当該グループに属するアプリケーションの評価結果に基づいて評価する、
請求項１から請求項５のいずれか一項に記載の管理装置。
【請求項７】
前記決定部は、
選択したグループに属するアプリケーションが複数ある場合、当該複数のアプリケーションのそれぞれに関連付けられたアプリケーション情報のうち、前記端末装置に表示される、第２のアプリケーションに関連付けられたアプリケーション情報を所定の規則に従って決定する、
請求項１から請求項６のいずれか一項に記載の管理装置。
【請求項８】
前記グループ評価部は、
前記端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループに対する評価値を更新する、
請求項１から請求項７のいずれか一項に記載の管理装置。
【請求項９】
前記端末装置における第１のアプリケーションの利用を少なくとも含む要因に起因して表示されるアプリケーション情報に関連付けられた第２のアプリケーションは、当該第１のアプリケーションとは異なるグループに属する、
請求項１から請求項８のいずれか一項に記載の管理装置。
【請求項１０】
複数のグループのそれぞれに属する一又は複数のアプリケーションのそれぞれに関連付けられたアプリケーション情報を管理する管理装置と通信する端末装置であって、
第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信する送信部と、
前記送信部により送信される成果達成情報に基づいて前記複数のグループのうちから選択されたグループに属するいずれかのアプリケーションに関連付けられたアプリケーション情報を、前記管理装置から取得する取得部と、
前記取得部が取得したアプリケーション情報を表示部に表示させる表示制御部と、
を備える端末装置。
【請求項１１】
複数のグループのそれぞれに属する一又は複数のアプリケーションのそれぞれに関連付けられたアプリケーション情報を管理する管理装置における制御方法であって、
端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、
前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、
を有する制御方法。
【請求項１２】
複数のグループのそれぞれに属する一又は複数のアプリケーションのそれぞれに関連付けられたアプリケーション情報を管理する管理装置と通信する端末装置における制御方法であって、
第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、
前記送信される成果達成情報に基づいて前記複数のグループのうちから選択されたグループに属するいずれかのアプリケーションに関連付けられたアプリケーション情報を、前記管理装置から取得するステップと、
前記取得したアプリケーション情報を表示部に表示させるステップと、
を有する制御方法。
【請求項１３】
複数のグループのそれぞれに属する一又は複数のアプリケーションのそれぞれに関連付けられたアプリケーション情報を管理する管理装置が備えるコンピュータに、
端末装置における第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことに基づいて、当該第１のアプリケーションが属するグループを評価するステップと、
前記評価した評価結果に基づいて前記複数のグループのうちのいずれかのグループを選択し、選択したグループに属するいずれかのアプリケーションに関連付けられたアプリケーション情報を、前記端末装置に表示される第２のアプリケーションに関連付けられたアプリケーション情報として決定するステップと、
を実行させるためのプログラム。
【請求項１４】
複数のグループのそれぞれに属する一又は複数のアプリケーションのそれぞれに関連付けられたアプリケーション情報を管理する管理装置と通信する端末装置が備えるコンピュータに、
第１のアプリケーションの利用を少なくとも含む要因に起因して表示されるアプリケーション情報であって第２のアプリケーションに関連付けられたアプリケーション情報、及び当該アプリケーション情報に関連付けられた第２のアプリケーション、のうちの少なくとも一方に基づく所定の成果が達成されたことを示す当該第２のアプリケーションに関連付けられた成果達成情報を、管理装置に対して送信するステップと、
前記送信される成果達成情報に基づいて前記複数のグループのうちから選択されたグループに属するいずれかのアプリケーションに関連付けられたアプリケーション情報を、前記管理装置から取得するステップと、
前記取得したアプリケーション情報を表示部に表示させるステップと、
を実行させるためのプログラム。
【国際調査報告】
2016002342.tif 000019
2016002342.tif 000020
2016002342.tif 000021